(57)【要約】  送信機会の間に基地局によって使用されることになる送信ビーム、または探索空間を監視するための周期を示すために、共通物理ダウンリンク制御チャネル(PDCCH)を使用するための方法、システム、およびデバイスが説明される。ユーザ機器(UE)は、UEと関連付けられる送信ビームが、送信機会の間に使用されることになるかどうかを決定するために、共通PDCCHについて(いくつかの場合、周期を使用して)探索空間を監視し得る。そうである場合、UEは、追加の情報を受信するために、送信機会の少なくとも一部分の間にウェイクアップし得る。共通PDCCHが、UEと関連付けられる送信ビームが送信機会の間に使用されることにならないことを示す場合、UEは、スリープ状態に入るか、または再び入り得る。UEは、共通PDCCH内で送信された情報に基づいて、探索空間を監視するための新しい周期に切り替え得る。
2022500932.tif 000002
【特許請求の範囲】
【請求項１】
ユーザ機器(UE)におけるワイヤレス通信のための方法であって、
送信機会と関連付けられる共通物理ダウンリンク制御チャネルについて、探索空間を監視するステップと、
前記共通物理ダウンリンク制御チャネルに少なくとも一部基づいて、前記送信機会の間の基地局による使用のための少なくとも1つの送信ビームを特定するステップと、
前記送信機会の間に前記少なくとも1つの送信ビームを使用して、情報を受信するステップと
を備える、方法。
【請求項２】
前記方法が、
前記少なくとも1つの送信ビームを特定することに少なくとも一部基づいて、スリープ状態からアクティブ状態に遷移するステップをさらに備え、
前記情報を受信するステップが、前記スリープ状態から前記アクティブ状態に遷移することに少なくとも一部基づく、請求項1に記載の方法。
【請求項３】
前記方法が、
前記少なくとも1つの送信ビームが、前記送信機会の間に前記UEと情報を通信するために使用されることになると決定するステップをさらに備え、
前記スリープ状態から前記アクティブ状態に遷移するステップが、前記少なくとも1つの送信ビームが前記送信機会の間に前記UEと情報を通信するために使用されることになると決定することに少なくとも一部基づく、請求項2に記載の方法。
【請求項４】
前記方法が、
前記共通物理ダウンリンク制御チャネルに含まれた前記送信機会の間に情報を受信するようにスケジュールされたUEのグループの識別子を特定するステップをさらに備え、
前記スリープ状態から前記アクティブ状態に遷移するステップが、前記送信機会の間に情報を受信するようにスケジュールされた前記UEのグループの特定に少なくとも一部基づく、請求項2に記載の方法。
【請求項５】
前記方法が、
前記共通物理ダウンリンク制御チャネルに少なくとも一部基づいて、送信構成インジケータ(TCI)を特定するステップをさらに備え、
前記スリープ状態から前記アクティブ状態に遷移するステップが、前記TCIを特定することに少なくとも一部基づく、請求項2に記載の方法。
【請求項６】
前記方法が、
前記共通物理ダウンリンク制御チャネルに含まれた前記TCIに少なくとも一部基づいて、前記送信機会の間に情報を受信するようにスケジュールされたUEのグループを特定するステップをさらに備え、
前記少なくとも1つの送信ビームを特定するステップが、前記送信機会の間に情報を受信するようにスケジュールされた前記UEのグループを特定することに少なくとも一部基づく、請求項5に記載の方法。
【請求項７】
前記方法が、
前記少なくとも1つの送信ビームを特定することに少なくとも一部基づいて、前記送信機会と関連付けられる第2の探索空間を監視するステップをさらに備え、
前記送信機会の間に前記少なくとも1つの送信ビームを使用して、前記情報を受信するステップが、前記第2の探索空間を監視することに少なくとも一部基づく、請求項1に記載の方法。
【請求項８】
前記第2の探索空間を監視するステップが、
前記共通物理ダウンリンク制御チャネルに少なくとも一部基づいて、前記UEの少なくとも一部分を動的にアクティブ化するステップを備える、請求項7に記載の方法。
【請求項９】
前記探索空間を監視するステップが、
1次セル上で前記探索空間を監視するステップを備え、前記方法が、
前記1次セル上で前記探索空間を監視することに少なくとも一部基づいて、2次セルのために、前記UEの受信機を同調させるステップ
をさらに備え、
前記送信機会の間に前記少なくとも1つの送信ビームを使用して、前記情報を受信するステップが、前記2次セルのために、前記UEの前記受信機を同調させることに少なくとも一部基づく、請求項1に記載の方法。
【請求項１０】
前記1次セルがsub-6ギガヘルツセルであり、
前記2次セルがミリメートル波(mmW)セルである、請求項9に記載の方法。
【請求項１１】
前記方法が、
前記探索空間を監視することに少なくとも一部基づいて、前記共通物理ダウンリンク制御チャネルを含む複数のビームを受信するステップをさらに備え、
前記少なくとも1つの送信ビームを特定するステップが、前記共通物理ダウンリンク制御チャネルを含む前記複数のビームのうちの少なくとも1つの受信に少なくとも一部基づく、請求項1に記載の方法。
【請求項１２】
前記共通物理ダウンリンク制御チャネルに少なくとも一部基づいて、前記探索空間を監視するための現在の周期とは異なる、前記探索空間を監視するための周期を特定するステップと、
前記周期を特定することに少なくとも一部基づいて、第2の探索空間を監視するステップと
をさらに備える、請求項1に記載の方法。
【請求項１３】
前記方法が、
前記探索空間を監視することに少なくとも一部基づいて、前記共通物理ダウンリンク制御チャネルを受信するステップをさらに備え、
前記少なくとも1つの送信ビームを特定するステップが、前記共通物理ダウンリンク制御チャネルを受信することに少なくとも一部基づく、または
前記UEによって、電力を節約するために、スリープ状態に入るステップをさらに備え、
前記探索空間を監視するステップが、前記スリープ状態に入ることに少なくとも一部基づく、請求項1に記載の方法。
【請求項１４】
前記共通物理ダウンリンク制御チャネルに少なくとも一部基づいて、前記送信機会の間に前記基地局によって使用されない第2の送信ビームを特定するステップと、
前記第2の送信ビームが前記UEと関連付けられると決定するステップと、
前記送信機会の間に前記基地局によって使用されない前記第2の送信ビームを特定するステップ、および前記第2の送信ビームが前記UEと関連付けられると決定するステップに少なくとも一部基づいて、アクティブ状態からスリープ状態に遷移するステップと
をさらに備える、請求項1に記載の方法。
【請求項１５】
基地局によるワイヤレス通信のための方法であって、
少なくとも1つの送信ビームと、UEへの送信のための情報とを特定するステップと、
前記UEに、前記少なくとも1つの送信ビームの指示を備える、共通物理ダウンリンク制御チャネルを送信するステップと、
前記共通物理ダウンリンク制御チャネルを送信することに少なくとも一部基づいて、送信機会の間に前記少なくとも1つの送信ビームを使用して、前記UEに前記情報を送信するステップと
を備える、方法。
【請求項１６】
前記共通物理ダウンリンク制御チャネルが、前記共通物理ダウンリンク制御チャネルに含まれた前記少なくとも1つの送信ビームの特定に少なくとも一部基づいて、前記UEが後続の専用PDCCH監視オケージョンを監視することになるかどうかを、前記UEが決定するための指示信号を備える、請求項15に記載の方法。
【請求項１７】
前記方法が、
前記UEに送信されることを待機中である前記情報の特定に少なくとも一部基づいて、前記UEを備えるUEのグループを特定するステップをさらに備え、
前記共通物理ダウンリンク制御チャネルが、前記UEのグループの指示を備える、請求項15に記載の方法。
【請求項１８】
前記方法が、
前記UEに送信されることを待機中である前記情報の特定に少なくとも一部基づいて、前記UEと関連付けられる送信構成インジケータ(TCI)を特定するステップをさらに備え、
前記共通物理ダウンリンク制御チャネルが、前記TCIの指示を備える、請求項15に記載の方法。
【請求項１９】
前記方法が、
1つまたは複数の送信ビームを前記UEまたはUEのグループと関連付けるために、初期化手順を実行するステップであって、前記1つまたは複数の送信ビームが、前記送信機会の間に前記UEまたは前記UEのグループと情報を通信するために使用するためのものである、ステップをさらに備え、
前記少なくとも1つの送信ビームを特定するステップが、前記初期化手順を実行することに少なくとも一部基づく、請求項15に記載の方法。
【請求項２０】
前記共通物理ダウンリンク制御チャネルを送信するステップが、
前記基地局が複数のUEとともに情報を送信するために、前記送信機会の間に使用することを意図する、複数の送信ビームのリストを含む、前記共通物理ダウンリンク制御チャネルを送信するステップを備える、請求項15に記載の方法。
【請求項２１】
前記共通物理ダウンリンク制御チャネルを送信するステップが、
1次セル上で前記共通物理ダウンリンク制御チャネルを送信するステップを備え、前記情報を送信するステップが、
2次セル上で前記情報を送信するステップを備える、請求項15に記載の方法。
【請求項２２】
前記1次セルがsub-6ギガヘルツセルであり、
前記2次セルがミリメートル波(mmW)セルである、請求項21に記載の方法。
【請求項２３】
前記方法が、
ビーム掃引パターンにおいて、前記共通物理ダウンリンク制御チャネルを含む複数のビームを送信するステップをさらに備え、
前記複数のビームを送信するステップが、前記共通物理ダウンリンク制御チャネルを送信するステップを備える、または
現在の周期とは異なる、前記UEが探索空間を監視するための周期を特定するステップをさらに備え、
前記共通物理ダウンリンク制御チャネルが、前記周期の指示を含む、請求項15に記載の方法。
【請求項２４】
ユーザ機器(UE)におけるワイヤレス通信のための方法であって、
第1の周期を使用して、送信機会と関連付けられる共通物理ダウンリンク制御チャネルについて、探索空間を監視するステップと、
前記第1の周期を使用して、前記探索空間を監視することに少なくとも一部基づいて、前記共通物理ダウンリンク制御チャネルを検出するステップと、
前記共通物理ダウンリンク制御チャネルに含まれた情報に少なくとも一部基づいて、前記探索空間を監視するための第2の周期を特定するステップと、
前記第2の周期を特定することに少なくとも一部基づいて、前記第2の周期を使用して、第2の共通物理ダウンリンク制御チャネルについて、前記探索空間を監視するステップと
を備える、方法。
【請求項２５】
前記方法が、
前記共通物理ダウンリンク制御チャネルが検出されてからの持続時間がしきい値を満たすと決定するステップをさらに備え、
前記第2の周期を特定するステップが、前記持続時間が前記しきい値を満たすことに少なくとも一部基づく、請求項24に記載の方法。
【請求項２６】
前記方法が、
前記送信機会の少なくとも一部分が前記UEのための情報を含むと決定するステップをさらに備え、
前記第2の周期を特定するステップが、前記送信機会の前記一部分が前記UEのための情報を含むことの特定に少なくとも一部基づく、請求項24に記載の方法。
【請求項２７】
前記共通物理ダウンリンク制御チャネルを検出するステップが、
前記共通物理ダウンリンク制御チャネルが前記第2の周期を示すことを検出するステップを備える、請求項24に記載の方法。
【請求項２８】
基地局におけるワイヤレス通信のための方法であって、
ユーザ機器(UE)に送信するための情報を特定するステップと、
前記UEが探索空間を監視するための周期を特定するステップであって、前記周期が現在の周期とは異なる、ステップと、
前記UEに、前記周期の指示を備える共通物理ダウンリンク制御チャネルを送信するステップと、
前記共通物理ダウンリンク制御チャネルを送信することに少なくとも一部基づいて、送信機会の間に前記UEに前記情報を送信するステップと
を備える、方法。
【請求項２９】
前記方法が、
前記基地局によって前記情報を通信するための少なくとも1つの送信ビームを特定するステップをさらに備え、
前記共通物理ダウンリンク制御チャネルが、前記少なくとも1つの送信ビームの第2の指示を備える、請求項28に記載の方法。
【請求項３０】
前記方法が、
前記送信機会の少なくとも一部分が前記UEのための情報を備えると決定するステップをさらに備え、
前記周期を特定するステップが、前記送信機会の前記一部分が前記UEのための情報を備えることの特定に少なくとも一部基づく、請求項28に記載の方法。
【請求項３１】
ワイヤレス通信のための装置であって、
送信機会と関連付けられる共通物理ダウンリンク制御チャネルについて、探索空間を監視するための手段と、
前記共通物理ダウンリンク制御チャネルに少なくとも一部基づいて、前記送信機会の間の基地局による使用のための少なくとも1つの送信ビームを特定するための手段と、
前記送信機会の間に前記少なくとも1つの送信ビームを使用して、情報を受信するための手段と
を備える、装置。
【請求項３２】
ワイヤレス通信のための装置であって、
少なくとも1つの送信ビームと、UEへの送信のための情報とを特定するための手段と、
前記UEに、前記少なくとも1つの送信ビームの指示を備える、共通物理ダウンリンク制御チャネルを送信するための手段と、
前記共通物理ダウンリンク制御チャネルを送信することに少なくとも一部基づいて、送信機会の間に前記少なくとも1つの送信ビームを使用して、前記UEに前記情報を送信するための手段と
を備える、装置。
【請求項３３】
ワイヤレス通信のための装置であって、
第1の周期を使用して、送信機会と関連付けられる共通物理ダウンリンク制御チャネルについて、探索空間を監視するための手段と、
前記第1の周期を使用して、前記探索空間を監視することに少なくとも一部基づいて、前記共通物理ダウンリンク制御チャネルを検出するための手段と、
前記共通物理ダウンリンク制御チャネルに含まれた情報に少なくとも一部基づいて、前記探索空間を監視するための第2の周期を特定するための手段と、
前記第2の周期を特定することに少なくとも一部基づいて、前記第2の周期を使用して、第2の共通物理ダウンリンク制御チャネルについて、前記探索空間を監視するための手段と
を備える、装置。
【請求項３４】
ワイヤレス通信のための装置であって、
ユーザ機器(UE)に送信するための情報を特定するための手段と、
前記UEが探索空間を監視するための周期を特定するための手段であって、前記周期が現在の周期とは異なる、手段と、
前記UEに、前記周期の指示を備える共通物理ダウンリンク制御チャネルを送信するための手段と、
前記共通物理ダウンリンク制御チャネルを送信することに少なくとも一部基づいて、送信機会の間に前記UEに前記情報を送信するための手段と
を備える、装置。
【発明の詳細な説明】
【技術分野】
【０００１】
相互参照
本特許出願は、本出願の譲受人に譲渡された、2019年9月13日に出願された、「TECHNIQUES FOR SEARCH SPACE MANAGEMENT」という表題の、CHAKRABORTYらの米国特許出願第16/570,820号、および2018年9月21日に出願された、「TECHNIQUES FOR SEARCH SPACE MANAGEMENT」という表題の、CHAKRABORTYらの米国仮特許出願第62/734,735号の優先権を主張する。
【０００２】
以下は、全般にワイヤレス通信に関し、より詳細には、探索空間管理のための技法に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例には、Long Term Evolution(LTE)システム、LTE-Advanced(LTE-A)システムまたはLTE-A Proシステムなどの第4世代(4G)システム、およびNew Radio(NR)システムと呼ばれることがある第5世代(5G)システムがある。これらのシステムは、符号分割多元接続(CDMA)、時分割多元接続(TDMA)、周波数分割多元接続(FDMA)、直交周波数分割多元接続(OFDMA)、または離散フーリエ変換拡散OFDM(DFT-S-OFDM)などの技法を利用し得る。ワイヤレス多元接続通信システムは、場合によってはユーザ機器(UE)として知られていることがある、複数の通信デバイスのための通信を各々が同時にサポートする、いくつかの基地局またはネットワークアクセスノードを含み得る。一部のワイヤレス通信システムでは、UEは、デュアルコネクティビティ、キャリアアグリゲーション、または両方において動作するように構成され得る。
【発明の概要】
【発明が解決しようとする課題】
【０００４】
いくつかのワイヤレス通信システムでは、UEは、電力を節約するために、スリープ状態に入るように構成され得る。UEは、UEがアクティブ状態に入るべきであるかどうかを決定するために、探索空間を定期的に監視し得る。探索空間を監視するための改善された技法が望まれる。
【課題を解決するための手段】
【０００５】
説明される技法は、探索空間管理のための技法をサポートする、改善された方法、システム、デバイス、および装置に関する。一般に、説明される技法は、送信機会の間に基地局によって使用されることになる送信ビームを示すために、共通物理ダウンリンク制御チャネル(PDCCH)(common physical downlink control channel (PDCCH))を使用することに関する。ユーザ機器(UE)は、UEと関連付けられる送信ビームが、送信機会の間に使用されることになるかどうかを決定するために、共通PDCCHについて探索空間を監視し得る。そうである場合、UEは、追加の情報を受信するために、送信機会の少なくとも一部分の間にウェイクアップし得る。たとえば、UEは、共通PDCCHが、UEと関連付けられる送信ビームが送信機会の間に使用されることになることを示すことに基づいて、送信機会の間に1つまたは複数のPDCCH(たとえば、他のPDCCH)を監視し得る。共通PDCCHが、UEと関連付けられる送信ビームが送信機会の間に使用されることにならないことを示す場合、UEは、スリープ状態に入り得る。
【０００６】
UEにおけるワイヤレス通信の方法が説明される。方法は、送信機会と関連付けられる共通物理ダウンリンク制御チャネルについて、探索空間を監視するステップと、共通物理ダウンリンク制御チャネルに基づいて、送信機会の間の基地局による使用のための少なくとも1つの送信ビームを特定するステップと、送信機会の間に少なくとも1つの送信ビームを使用して、情報を受信するステップとを含み得る。
【０００７】
UEにおけるワイヤレス通信のための装置が説明される。装置は、プロセッサと、プロセッサと電子的に通信しているメモリと、メモリに記憶された命令とを含み得る。命令は、装置に、送信機会と関連付けられる共通物理ダウンリンク制御チャネルについて、探索空間を監視させ、共通物理ダウンリンク制御チャネルに基づいて、送信機会の間の基地局による使用のための少なくとも1つの送信ビームを特定させ、送信機会の間に少なくとも1つの送信ビームを使用して、情報を受信させるように、プロセッサによって実行可能であり得る。
【０００８】
UEにおけるワイヤレス通信のための別の装置が説明される。装置は、送信機会と関連付けられる共通物理ダウンリンク制御チャネルについて、探索空間を監視するための手段と、共通物理ダウンリンク制御チャネルに基づいて、送信機会の間の基地局による使用のための少なくとも1つの送信ビームを特定するための手段と、送信機会の間に少なくとも1つの送信ビームを使用して、情報を受信するための手段とを含み得る。
【０００９】
UEにおけるワイヤレス通信のためのコードを記憶する非一時的コンピュータ可読媒体が説明される。コードは、送信機会と関連付けられる共通物理ダウンリンク制御チャネルについて、探索空間を監視し、共通物理ダウンリンク制御チャネルに基づいて、送信機会の間の基地局による使用のための少なくとも1つの送信ビームを特定し、送信機会の間に少なくとも1つの送信ビームを使用して、情報を受信するように、プロセッサによって実行可能な命令を含み得る。
【００１０】
本明細書で説明される方法、装置、および非一時的コンピュータ可読媒体のいくつかの例はさらに、少なくとも1つの送信ビームを特定することに基づいて、スリープ状態からアクティブ状態に遷移するための動作、特徴、手段、または命令を含んでもよく、情報を受信することは、スリープ状態からアクティブ状態に遷移することに基づいてもよい。
【００１１】
本明細書で説明される方法、装置、および非一時的コンピュータ可読媒体のいくつかの例はさらに、少なくとも1つの送信ビームが、送信機会の間にUEと情報を通信するために使用されることになり得ると決定するための動作、特徴、手段、または命令を含んでもよく、スリープ状態からアクティブ状態に遷移することは、少なくとも1つの送信ビームが送信機会の間にUEと情報を通信するために使用されることになり得ると決定することに基づいてもよい。
【００１２】
本明細書で説明される方法、装置、および非一時的コンピュータ可読媒体のいくつかの例はさらに、共通物理ダウンリンク制御チャネルに含まれた送信機会の間に情報を受信するようにスケジュールされたUEのグループの識別子を特定するための動作、特徴、手段、または命令を含んでもよく、スリープ状態からアクティブ状態に遷移することは、送信機会の間に情報を受信するようにスケジュールされたUEのグループの特定に基づいてもよい。
【００１３】
本明細書で説明される方法、装置、および非一時的コンピュータ可読媒体のいくつかの例はさらに、共通物理ダウンリンク制御チャネルに基づいて、送信構成インジケータ(TCI)を特定するための動作、特徴、手段、または命令を含んでもよく、スリープ状態からアクティブ状態に遷移することは、TCIを特定することに基づいてもよい。
【００１４】
本明細書で説明される方法、装置、および非一時的コンピュータ可読媒体のいくつかの例はさらに、共通物理ダウンリンク制御チャネルに含まれたTCIに基づいて、送信機会の間に情報を受信するようにスケジュールされたUEのグループを特定するための動作、特徴、手段、または命令を含んでもよく、少なくとも1つの送信ビームを特定することは、送信機会の間に情報を受信するようにスケジュールされたUEのグループを特定することに基づいてもよい。
【００１５】
本明細書で説明される方法、装置、および非一時的コンピュータ可読媒体のいくつかの例では、TCIとUEのグループとの間に1対1マッピングがあり得る。
【００１６】
本明細書で説明される方法、装置、および非一時的コンピュータ可読媒体のいくつかの例はさらに、少なくとも1つの送信ビームを特定することに基づいて、送信機会と関連付けられる第2の探索空間を監視するための動作、特徴、手段、または命令を含んでもよく、送信機会の間に少なくとも1つの送信ビームを使用して、情報を受信することは、第2の探索空間を監視することに基づいてもよい。
【００１７】
本明細書で説明される方法、装置、および非一時的コンピュータ可読媒体のいくつかの例では、第2の探索空間を監視することは、共通物理ダウンリンク制御チャネルに基づいて、UEの少なくとも一部分を動的にアクティブ化するための動作、特徴、手段、または命令を含み得る。
【００１８】
本明細書で説明される方法、装置、および非一時的コンピュータ可読媒体のいくつかの例では、探索空間を監視することは、1次セル上で探索空間を監視するための動作、特徴、手段、または命令を含んでもよく、方法はさらに含む。
【００１９】
本明細書で説明される方法、装置、および非一時的コンピュータ可読媒体のいくつかの例では、1次セルは、sub-6ギガヘルツセルであってもよく、2次セルは、ミリメートル波(mmW)セルであってもよい。
【００２０】
本明細書で説明される方法、装置、および非一時的コンピュータ可読媒体のいくつかの例はさらに、探索空間を監視することに基づいて、共通物理ダウンリンク制御チャネルを含むビームのセットを受信するための動作、特徴、手段、または命令を含んでもよく、少なくとも1つの送信ビームを特定することは、共通物理ダウンリンク制御チャネルを含むビームのセットのうちの少なくとも1つの受信に基づいてもよい。
【００２１】
本明細書で説明される方法、装置、および非一時的コンピュータ可読媒体のいくつかの例はさらに、共通物理ダウンリンク制御チャネルに基づいて、探索空間を監視するための現在の周期とは異なる、探索空間を監視するための周期を特定し、周期を特定することに基づいて、第2の探索空間を監視するための動作、特徴、手段、または命令を含み得る。
【００２２】
本明細書で説明される方法、装置、および非一時的コンピュータ可読媒体のいくつかの例はさらに、探索空間を監視することに基づいて、共通物理ダウンリンク制御チャネルを受信するための動作、特徴、手段、または命令を含んでもよく、少なくとも1つの送信ビームを特定することは、共通物理ダウンリンク制御チャネルを受信することに基づいてもよい。
【００２３】
本明細書で説明される方法、装置、および非一時的コンピュータ可読媒体のいくつかの例はさらに、UEによって、電力を節約するために、スリープ状態に入るための動作、特徴、手段、または命令を含んでもよく、探索空間を監視することは、スリープ状態に入ることに基づいてもよい。
【００２４】
本明細書で説明される方法、装置、および非一時的コンピュータ可読媒体のいくつかの例はさらに、共通物理ダウンリンク制御チャネルに基づいて、送信機会の間に基地局によって使用されない第2の送信ビームを特定し、第2の送信ビームがUEと関連付けられ得ると決定し、送信機会の間に基地局によって使用されない第2の送信ビームを特定すること、および第2の送信ビームがUEと関連付けられ得ると決定することに基づいて、アクティブ状態からスリープ状態に遷移するための動作、特徴、手段、または命令を含み得る。
【００２５】
本明細書で説明される方法、装置、および非一時的コンピュータ可読媒体のいくつかの例では、共通物理ダウンリンク制御チャネルは、送信機会の間に使用するための送信ビームのセットを示し、送信ビームのセットは、少なくとも1つの送信ビームを含む。
【００２６】
本明細書で説明される方法、装置、および非一時的コンピュータ可読媒体のいくつかの例はさらに、第2の送信機会と関連付けられる第2の共通物理ダウンリンク制御チャネルについて、第2の探索空間を監視し、第2の共通物理ダウンリンク制御チャネルに基づいて、第2の送信機会の間に基地局によって使用されない第2の送信ビームを特定し、第2の送信ビームを特定することに基づいて、アクティブ状態からスリープ状態に遷移するための動作、特徴、手段、または命令を含み得る。
【００２７】
本明細書で説明される方法、装置、および非一時的コンピュータ可読媒体のいくつかの例では、探索空間は、制御リソースセットの少なくとも一部分を含む。
【００２８】
本明細書で説明される方法、装置、および非一時的コンピュータ可読媒体のいくつかの例では、送信機会は、共有無線周波数スペクトルにおけるものであり得る。
【００２９】
基地局によるワイヤレス通信の方法が説明される。方法は、少なくとも1つの送信ビームと、UEへの送信のための情報とを特定するステップと、UEに、少なくとも1つの送信ビームの指示を含む、共通物理ダウンリンク制御チャネルを送信するステップと、共通物理ダウンリンク制御チャネルを送信することに少なくとも一部基づいて、送信機会の間に少なくとも1つの送信ビームを使用して、UEに情報を送信するステップとを含み得る。
【００３０】
基地局によるワイヤレス通信のための装置が説明される。装置は、プロセッサと、プロセッサと電子的に通信しているメモリと、メモリに記憶された命令とを含み得る。命令は、装置に、少なくとも1つの送信ビームと、UEへの送信のための情報とを特定させ、UEに、少なくとも1つの送信ビームの指示を含む、共通物理ダウンリンク制御チャネルを送信させ、共通物理ダウンリンク制御チャネルを送信することに少なくとも一部基づいて、送信機会の間に少なくとも1つの送信ビームを使用して、UEに情報を送信させるように、プロセッサによって実行可能であり得る。
【００３１】
基地局によるワイヤレス通信のための別の装置が説明される。装置は、少なくとも1つの送信ビームと、UEへの送信のための情報とを特定するための手段と、UEに、少なくとも1つの送信ビームの指示を含む、共通物理ダウンリンク制御チャネルを送信するための手段と、共通物理ダウンリンク制御チャネルを送信することに少なくとも一部基づいて、送信機会の間に少なくとも1つの送信ビームを使用して、UEに情報を送信するための手段とを含み得る。
【００３２】
基地局によるワイヤレス通信のためのコードを記憶する非一時的コンピュータ可読媒体が説明される。コードは、少なくとも1つの送信ビームと、UEへの送信のための情報とを特定し、UEに、少なくとも1つの送信ビームの指示を含む、共通物理ダウンリンク制御チャネルを送信し、共通物理ダウンリンク制御チャネルを送信することに少なくとも一部基づいて、送信機会の間に少なくとも1つの送信ビームを使用して、UEに情報を送信するように、プロセッサによって実行可能な命令を含み得る。
【００３３】
本明細書で説明される方法、装置、および非一時的コンピュータ可読媒体のいくつかの例では、共通物理ダウンリンク制御チャネルは、共通物理ダウンリンク制御チャネルに含まれた少なくとも1つの送信ビームの特定に基づいて、UEが後続の専用PDCCH監視オケージョンを監視することになり得るかどうかを、UEが決定するための指示信号を含む。
【００３４】
本明細書で説明される方法、装置、および非一時的コンピュータ可読媒体のいくつかの例はさらに、UEに送信されることを待機中である情報の特定に基づいて、UEを含むUEのグループを特定するための動作、特徴、手段、または命令を含んでもよく、共通物理ダウンリンク制御チャネルは、UEのグループの指示を含む。
【００３５】
本明細書で説明される方法、装置、および非一時的コンピュータ可読媒体のいくつかの例はさらに、UEに送信されることを待機中である情報の特定に基づいて、UEと関連付けられる送信構成インジケータ(TCI)を特定するための動作、特徴、手段、または命令を含んでもよく、共通物理ダウンリンク制御チャネルは、TCIの指示を含む。
【００３６】
本明細書で説明される方法、装置、および非一時的コンピュータ可読媒体のいくつかの例では、TCIとUEのグループとの間に1対1マッピングがあり得る。
【００３７】
本明細書で説明される方法、装置、および非一時的コンピュータ可読媒体のいくつかの例はさらに、1つまたは複数の送信ビームをUEまたはUEのグループと関連付けるために、初期化手順を実行するための動作、特徴、手段、または命令を含んでもよく、1つまたは複数の送信ビームは、送信機会の間にUEまたはUEのグループと情報を通信するために使用するためのものであり、少なくとも1つの送信ビームを特定することは、初期化手順を実行することに基づいてもよい。
【００３８】
本明細書で説明される方法、装置、および非一時的コンピュータ可読媒体のいくつかの例では、共通物理ダウンリンク制御チャネルを送信することは、基地局が複数のUEとともに情報を送信するために、送信機会の間に使用することを意図する、複数の送信ビームのリストを含む、共通物理ダウンリンク制御チャネルを送信するための動作、特徴、手段、または命令を含み得る。
【００３９】
本明細書で説明される方法、装置、および非一時的コンピュータ可読媒体のいくつかの例では、共通物理ダウンリンク制御チャネルを送信することは、1次セル上で共通物理ダウンリンク制御チャネルを送信するための動作、特徴、手段、または命令を含んでもよく、情報を送信することは、2次セル上で情報を送信することを含む。
【００４０】
本明細書で説明される方法、装置、および非一時的コンピュータ可読媒体のいくつかの例では、1次セルは、sub-6ギガヘルツセルであってもよく、2次セルは、ミリメートル波(mmW)セルであってもよい。
【００４１】
本明細書で説明される方法、装置、および非一時的コンピュータ可読媒体のいくつかの例はさらに、ビーム掃引パターンにおいて、共通物理ダウンリンク制御チャネルを含むビームのセットを送信するための動作、特徴、手段、または命令を含んでもよく、ビームのセットを送信することは、共通物理ダウンリンク制御チャネルを送信することを含む。
【００４２】
本明細書で説明される方法、装置、および非一時的コンピュータ可読媒体のいくつかの例はさらに、現在の周期とは異なる、UEが探索空間を監視するための周期を特定するための動作、特徴、手段、または命令を含んでもよく、共通物理ダウンリンク制御チャネルは、周期の指示を含む。
【００４３】
本明細書で説明される方法、装置、および非一時的コンピュータ可読媒体のいくつかの例では、探索空間は、制御リソースセットの少なくとも一部分を含む。
【００４４】
本明細書で説明される方法、装置、および非一時的コンピュータ可読媒体のいくつかの例はさらに、情報を特定することに基づいて、送信機会の間に使用されない第2の送信ビームを特定するための動作、特徴、手段、または命令を含んでもよく、共通物理ダウンリンク制御チャネルは、第2の送信ビームの指示を含む。
【００４５】
本明細書で説明される方法、装置、および非一時的コンピュータ可読媒体のいくつかの例では、送信機会は、共有無線周波数スペクトルにおけるものであり得る。
【００４６】
UEにおけるワイヤレス通信の方法が説明される。方法は、第1の周期を使用して、送信機会と関連付けられる共通物理ダウンリンク制御チャネルについて、探索空間を監視するステップと、第1の周期を使用して、探索空間を監視することに基づいて、共通物理ダウンリンク制御チャネルを検出するステップと、共通物理ダウンリンク制御チャネルに含まれた情報に基づいて、探索空間を監視するための第2の周期を特定するステップと、第2の周期を特定することに基づいて、第2の周期を使用して、第2の共通物理ダウンリンク制御チャネルについて、探索空間を監視するステップとを含み得る。
【００４７】
UEにおけるワイヤレス通信のための装置が説明される。装置は、プロセッサと、プロセッサと電子的に通信しているメモリと、メモリに記憶された命令とを含み得る。命令は、装置に、第1の周期を使用して、送信機会と関連付けられる共通物理ダウンリンク制御チャネルについて、探索空間を監視させ、第1の周期を使用して、探索空間を監視することに基づいて、共通物理ダウンリンク制御チャネルを検出させ、共通物理ダウンリンク制御チャネルに含まれた情報に基づいて、探索空間を監視するための第2の周期を特定させ、第2の周期を特定することに基づいて、第2の周期を使用して、第2の共通物理ダウンリンク制御チャネルについて、探索空間を監視させるように、プロセッサによって実行可能であり得る。
【００４８】
UEにおけるワイヤレス通信のための別の装置が説明される。装置は、第1の周期を使用して、送信機会と関連付けられる共通物理ダウンリンク制御チャネルについて、探索空間を監視するための手段と、第1の周期を使用して、探索空間を監視することに基づいて、共通物理ダウンリンク制御チャネルを検出するための手段と、共通物理ダウンリンク制御チャネルに含まれた情報に基づいて、探索空間を監視するための第2の周期を特定するための手段と、第2の周期を特定することに基づいて、第2の周期を使用して、第2の共通物理ダウンリンク制御チャネルについて、探索空間を監視するための手段とを含み得る。
【００４９】
UEにおけるワイヤレス通信のためのコードを記憶する非一時的コンピュータ可読媒体が説明される。コードは、第1の周期を使用して、送信機会と関連付けられる共通物理ダウンリンク制御チャネルについて、探索空間を監視し、第1の周期を使用して、探索空間を監視することに基づいて、共通物理ダウンリンク制御チャネルを検出し、共通物理ダウンリンク制御チャネルに含まれた情報に基づいて、探索空間を監視するための第2の周期を特定し、第2の周期を特定することに基づいて、第2の周期を使用して、第2の共通物理ダウンリンク制御チャネルについて、探索空間を監視するように、プロセッサによって実行可能な命令を含み得る。
【００５０】
本明細書で説明される方法、装置、および非一時的コンピュータ可読媒体のいくつかの例はさらに、共通物理ダウンリンク制御チャネルが検出され得るときからの持続時間がしきい値を満たすと決定するための動作、特徴、手段、または命令を含んでもよく、第2の周期を特定することは、持続時間がしきい値を満たすことに基づいてもよい。
【００５１】
本明細書で説明される方法、装置、および非一時的コンピュータ可読媒体のいくつかの例はさらに、送信機会の少なくとも一部分がUEのための情報を含むと決定するための動作、特徴、手段、または命令を含んでもよく、第2の周期を特定することは、送信機会のその部分がUEのための情報を含むことの特定に基づいてもよい。
【００５２】
本明細書で説明される方法、装置、および非一時的コンピュータ可読媒体のいくつかの例では、共通物理ダウンリンク制御チャネルを検出することは、共通物理ダウンリンク制御チャネルが第2の周期を示すことを検出するための動作、特徴、手段、または命令を含み得る。
【００５３】
本明細書で説明される方法、装置、および非一時的コンピュータ可読媒体のいくつかの例では、第1の周期は、ミニスロットごとに1回、探索空間を監視することを含み、第2の周期は、スロットごとに1回、探索空間を監視することを含む。
【００５４】
基地局におけるワイヤレス通信の方法が説明される。方法は、UEに送信するための情報を特定するステップと、UEが探索空間を監視するための周期を特定するステップであって、周期が現在の周期とは異なる、ステップと、UEに、周期の指示を含む共通物理ダウンリンク制御チャネルを送信するステップと、共通物理ダウンリンク制御チャネルを送信することに少なくとも一部基づいて、送信機会の間にUEに情報を送信するステップとを含み得る。
【００５５】
基地局におけるワイヤレス通信のための装置が説明される。装置は、プロセッサと、プロセッサと電子的に通信しているメモリと、メモリに記憶された命令とを含み得る。命令は、装置に、UEに送信するための情報を特定させ、UEが探索空間を監視するための周期を特定させ、周期は現在の周期とは異なり、UEに、周期の指示を含む共通物理ダウンリンク制御チャネルを送信させ、共通物理ダウンリンク制御チャネルを送信することに少なくとも一部基づいて、送信機会の間にUEに情報を送信させるように、プロセッサによって実行可能であり得る。
【００５６】
基地局におけるワイヤレス通信のための別の装置が説明される。装置は、UEに送信するための情報を特定するための手段と、UEが探索空間を監視するための周期を特定するための手段であって、周期が現在の周期とは異なる、手段と、UEに、周期の指示を含む共通物理ダウンリンク制御チャネルを送信するための手段と、共通物理ダウンリンク制御チャネルを送信することに少なくとも一部基づいて、送信機会の間にUEに情報を送信するための手段とを含み得る。
【００５７】
基地局におけるワイヤレス通信のためのコードを記憶する非一時的コンピュータ可読媒体が説明される。コードは、UEに送信するための情報を特定し、UEが探索空間を監視するための周期を特定し、周期は現在の周期とは異なり、UEに、周期の指示を含む共通物理ダウンリンク制御チャネルを送信し、共通物理ダウンリンク制御チャネルを送信することに少なくとも一部基づいて、送信機会の間にUEに情報を送信するように、プロセッサによって実行可能な命令を含み得る。
【００５８】
本明細書で説明される方法、装置、および非一時的コンピュータ可読媒体のいくつかの例はさらに、基地局によって情報を通信するための少なくとも1つの送信ビームを特定するための動作、特徴、手段、または命令を含んでもよく、共通物理ダウンリンク制御チャネルは、少なくとも1つの送信ビームの第2の指示を含む。
【００５９】
本明細書で説明される方法、装置、および非一時的コンピュータ可読媒体のいくつかの例はさらに、送信機会の少なくとも一部分がUEのための情報を含むと決定するための動作、特徴、手段、または命令を含んでもよく、周期を特定することは、送信機会のその部分がUEのための情報を含むことの特定に基づいてもよい。
【００６０】
本明細書で説明される方法、装置、および非一時的コンピュータ可読媒体のいくつかの例では、現在の周期は、ミニスロットごとに1回、探索空間を監視することを含み、周期は、スロットごとに1回、探索空間を監視することを含む。
【図面の簡単な説明】
【００６１】
【図１】本開示の態様による、探索空間管理のための技法をサポートするワイヤレス通信のためのシステムの例を示す図である。
【図２】本開示の態様による、探索空間管理のための技法をサポートするワイヤレス通信システムの例を示す図である。
【図３】本開示の態様による、探索空間管理のための技法をサポートするタイミング図の例を示す図である。
【図４】本開示の態様による、探索空間管理のための技法をサポートするフロー図の例を示す図である。
【図５】本開示の態様による、探索空間管理のための技法をサポートするタイミング図の例を示す図である。
【図６】本開示の態様による、探索空間管理のための技法をサポートするフロー図の例を示す図である。
【図７】本開示の態様による、探索空間管理のための技法をサポートするデバイスのブロック図である。
【図８】本開示の態様による、探索空間管理のための技法をサポートするデバイスのブロック図である。
【図９】本開示の態様による、探索空間管理のための技法をサポートする通信マネージャのブロック図である。
【図１０】本開示の態様による、探索空間管理のための技法をサポートするデバイスを含むシステムの図である。
【図１１】本開示の態様による、探索空間管理のための技法をサポートするデバイスのブロック図である。
【図１２】本開示の態様による、探索空間管理のための技法をサポートするデバイスのブロック図である。
【図１３】本開示の態様による、探索空間管理のための技法をサポートする通信マネージャのブロック図である。
【図１４】本開示の態様による、探索空間管理のための技法をサポートするデバイスを含むシステムの図である。
【図１５】本開示の態様による、探索空間管理のための技法をサポートする方法を示すフローチャートである。
【図１６】本開示の態様による、探索空間管理のための技法をサポートする方法を示すフローチャートである。
【図１７】本開示の態様による、探索空間管理のための技法をサポートする方法を示すフローチャートである。
【図１８】本開示の態様による、探索空間管理のための技法をサポートする方法を示すフローチャートである。
【図１９】本開示の態様による、探索空間管理のための技法をサポートする方法を示すフローチャートである。
【図２０】本開示の態様による、探索空間管理のための技法をサポートする方法を示すフローチャートである。
【図２１】本開示の態様による、探索空間管理のための技法をサポートする方法を示すフローチャートである。
【図２２】本開示の態様による、探索空間管理のための技法をサポートする方法を示すフローチャートである。
【図２３】本開示の態様による、探索空間管理のための技法をサポートする方法を示すフローチャートである。
【発明を実施するための形態】
【００６２】
指向性ビームを使用するワイヤレス通信システムでは、ある制御情報が、あらゆるUEでない場合は少なくともいくつかのUEによって受信された共通物理ダウンリンク制御チャネル(PDCCH)に含まれることがあり、他の制御情報が、他のPDCCHに含まれることがある。たとえば、いくつかのワイヤレス通信システムでは、どの送信ビームが送信機会の間に使用されることになるかについての情報が、PDCCHの一部として通信され得る。そのような構成では、ワイヤレス通信システムの中のUEは、UEがいかなる制御情報も逃さないことを確認するために、PDCCHを含み得る、あらゆる探索空間でない場合は少なくともいくつかの探索空間を監視し得る。
【００６３】
送信機会の間に基地局によって使用されることになる1つまたは複数の送信ビームを示すために、共通PDCCHを使用するための技法が、本明細書で説明される。UEは、どのビームが送信機会の間に使用されることになるかを決定するために、共通PDCCHについて探索空間を監視し得る。共通PDCCHが、UEと関連付けられる送信ビームが送信機会の間に使用されることになることを示す場合、UEは、追加の情報を受信するために、送信機会の少なくとも一部分の間に状態を変更(たとえば、ウェイクアップ)し得る。たとえば、UEは、共通PDCCHが、UEと関連付けられる送信ビームが送信機会の間に使用されることになることを示すことに基づいて、送信機会の間に他のPDCCHを監視し得る。共通PDCCHが、UEと関連付けられる送信ビームが送信機会の間に使用されることにならないことを示す場合、UEは、スリープ状態(たとえば、電力節約状態)に入るか、または再び入り得る。送信機会の間に使用されることになる送信ビームについての情報を組み込むことによって、少なくともいくつかのUEが、スリープ状態に入るか、または再び入ることによって、送信機会の間に電力を節約するように構成され得る。
【００６４】
最初に、本開示の態様がワイヤレス通信システムの文脈で説明される。本開示の態様はまた、タイミング図およびフロー図の文脈でも説明される。本開示の態様は、探索空間管理のための技法に関する装置図、システム図、およびフローチャートによってさらに示され、それらを参照して説明される。
【００６５】
図1は、本開示の態様による、探索空間管理のための技法をサポートするワイヤレス通信システム100の例を示す。ワイヤレス通信システム100は、基地局105と、UE115と、コアネットワーク130とを含む。いくつかの例では、ワイヤレス通信システム100は、Long Term Evolution(LTE)ネットワーク、LTE-Advanced(LTE-A)ネットワーク、LTE-A Proネットワーク、またはNew Radio(NR)ネットワークであり得る。いくつかの場合、ワイヤレス通信システム100は、拡張ブロードバンド通信、超高信頼性(たとえば、ミッションクリティカル)通信、低レイテンシ通信、または低コストおよび低複雑度のデバイスとの通信をサポートし得る。
【００６６】
基地局105は、1つまたは複数の基地局アンテナを介して、UE115とワイヤレスに通信し得る。本明細書で説明される基地局105は、トランシーバ基地局、無線基地局、アクセスポイント、無線トランシーバ、NodeB、eNodeB(eNB)、次世代NodeBもしくはgiga-NodeB(それらのうちのいずれもgNBと呼ばれることがある)、Home NodeB、Home eNodeB、またはいくつかの他の好適な用語を含むことがあり、あるいは当業者によってそのように呼ばれることがある。ワイヤレス通信システム100は、異なるタイプの基地局105(たとえば、マクロセル基地局またはスモールセル基地局)を含み得る。本明細書で説明されるUE115は、マクロeNB、スモールセルeNB、gNB、中継基地局などを含む、様々なタイプの基地局105およびネットワーク機器と通信することが可能であり得る。
【００６７】
各基地局105は、様々なUE115との通信がサポートされる特定の地理的カバレッジエリア110と関連付けられ得る。各基地局105は、通信リンク125を介してそれぞれの地理的カバレッジエリア110のための通信カバレッジを提供することができ、基地局105とUE115との間の通信リンク125は、1つまたは複数のキャリアを利用することができる。ワイヤレス通信システム100において示される通信リンク125は、UE115から基地局105へのアップリンク送信、または基地局105からUE115へのダウンリンク送信を含み得る。ダウンリンク送信は順方向リンク送信と呼ばれることもあり、アップリンク送信は逆方向リンク送信と呼ばれることもある。
【００６８】
基地局105のための地理的カバレッジエリア110は、地理的カバレッジエリア110の一部分のみを構成するセクタに分割されてもよく、セクタはそれぞれセルと関連付けられてもよい。たとえば、各基地局105は、マクロセル、スモールセル、ホットスポット、もしくは他のタイプのセル、またはそれらの様々な組合せのための通信カバレッジを提供し得る。いくつかの例では、基地局105は可動であり、したがって、移動している地理的カバレッジエリア110のための通信カバレッジを提供し得る。いくつかの例では、異なる技術と関連付けられる異なる地理的カバレッジエリア110は、重複することがあり、異なる技術と関連付けられる、重複する地理的カバレッジエリア110は、同じ基地局105によって、または異なる基地局105によってサポートされることがある。ワイヤレス通信システム100は、たとえば、異なるタイプの基地局105が様々な地理的カバレッジエリア110のためのカバレッジを提供する、異種LTE/LTE-A/LTE-A ProまたはNRネットワークを含み得る。
【００６９】
「セル」という用語は、(たとえば、キャリア上での)基地局105との通信のために使用される論理通信エンティティを指し、同じまたは異なるキャリアを介して動作する近隣セルを区別するための識別子(たとえば、物理セル識別子(PCID)、仮想セル識別子(VCID))と関連付けられ得る。いくつかの例では、キャリアは、複数のセルをサポートすることがあり、異なるセルは、異なるタイプのデバイスのためのアクセスを提供し得る異なるプロトコルタイプ(たとえば、マシンタイプ通信(MTC)、狭帯域Internet-of-Things(NB-IoT)、拡張モバイルブロードバンド(eMBB)、または他のもの)に従って構成され得る。いくつかの場合、「セル」という用語は、その上で論理エンティティが動作する地理的カバレッジエリア110(たとえば、セクタ)の一部分を指すことがある。
【００７０】
UE115は、ワイヤレス通信システム100全体にわたって分散していることがあり、各UE115は固定式または移動式であり得る。UE115はまた、モバイルデバイス、ワイヤレスデバイス、リモートデバイス、ハンドヘルドデバイス、もしくは加入者デバイス、または何らかの他の適切な用語で呼ばれることがあり、「デバイス」はユニット、局、端末、またはクライアントと呼ばれることもある。UE115はまた、携帯電話、携帯情報端末(PDA)、タブレットコンピュータ、ラップトップコンピュータ、またはパーソナルコンピュータなどの個人用電子デバイスであり得る。いくつかの例では、UE115は、ワイヤレスローカルループ(WLL)局、Internet of Things(IoT)デバイス、Internet of Everything(IoE)デバイス、またはMTCデバイスなどを指すこともあり、これらは、家電機器、車両、メータなどの様々な物品において実装され得る。
【００７１】
MTCデバイスまたはIoTデバイスなどの、いくつかのUE115は、低コストまたは低複雑度のデバイスであることがあり、機械間の自動化された通信を(たとえば、マシンツーマシン(M2M)通信を介して)可能にすることがある。M2M通信またはMTCは、人が介在することなく、デバイスが互いにまたは基地局105と通信することを可能にするデータ通信技術を指すことがある。いくつかの例では、M2M通信またはMTCは、センサまたはメータを組み込んで情報を測定または捕捉し、その情報を利用できる中央サーバもしくはアプリケーションプログラムにその情報を中継するか、またはプログラムもしくはアプリケーションと対話する人間にその情報を提示する、デバイスからの通信を含むことがある。いくつかのUE115は、情報を集めるか、または機械の自動化された挙動を可能にするように設計され得る。MTCデバイスのための適用例の例は、スマートメータリング、在庫監視、水位監視、機器監視、ヘルスケア監視、野生生物監視、天候事象および地質学的事象の監視、船団の管理および追跡、リモートセキュリティ検知、物理的アクセス制御、ならびに取引ベースのビジネスの課金を含む。
【００７２】
いくつかのUE115は、半二重通信などの、電力消費を低減する動作モード(たとえば、送信または受信を介した単方向通信をサポートするが、送信および受信を同時にはサポートしないモード)を利用するように構成され得る。いくつかの例では、半二重通信は、低減されたピークレートで実行され得る。UE115のための他の電力節約技法は、アクティブな通信に関与していないとき、省電力「ディープスリープ」モードに入ること、または(たとえば、狭帯域通信に従って)限られた帯域幅にわたって動作することを含む。いくつかの場合、UE115は、重要な機能(たとえば、ミッションクリティカル機能)をサポートするように設計されることがあり、ワイヤレス通信システム100はこれらの機能のために超高信頼性通信を提供するように構成されることがある。
【００７３】
いくつかの場合、UE115はまた、(たとえば、ピアツーピア(P2P)プロトコルまたはデバイスツーデバイス(D2D)プロトコルを使用して)他のUE115と直接通信することが可能であり得る。D2D通信を利用するUE115のグループのうちの1つまたは複数が、基地局105の地理的カバレッジエリア110内にあり得る。そのようなグループ中の他のUE115は、基地局105の地理的カバレッジエリア110の外にあるか、または別様に基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105は、D2D通信のためのリソースのスケジューリングを容易にする。他の場合には、D2D通信は、基地局105が関与することなくUE115間で行われる。
【００７４】
基地局105は、コアネットワーク130および互いと通信し得る。たとえば、基地局105は、バックホールリンク132を通じて(たとえば、S1、N2、N3、または他のインターフェースを介して)コアネットワーク130とインターフェースし得る。基地局105は、バックホールリンク134上で(たとえば、X2、Xn、または他のインターフェースを介して)、直接的に(たとえば、基地局105間で直接的に)または間接的に(たとえば、コアネットワーク130を介して)のいずれかで互いに通信し得る。
【００７５】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、evolved packet core(EPC)であってよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含むことがある。MMEは、EPCと関連付けられる基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００７６】
基地局105などのネットワークデバイスのうちの少なくともいくつかは、アクセスネットワークエンティティなどの下位構成要素を含んでもよく、アクセスネットワークエンティティは、アクセスノードコントローラ(ANC)の例であってもよい。各アクセスネットワークエンティティは、無線ヘッド、スマート無線ヘッド、または送受信ポイント(TRP)と呼ばれ得る、いくつかの他のアクセスネットワーク送信エンティティを通じて、UE115と通信し得る。いくつかの構成では、各アクセスネットワークエンティティまたは基地局105の様々な機能は、様々なネットワークデバイス(たとえば、無線ヘッドおよびアクセスネットワークコントローラ)にわたって分散されることがあり、または単一のネットワークデバイス(たとえば、基地局105)内に統合されることがある。
【００７７】
ワイヤレス通信システム100は、通常は300MHzから300GHzの範囲にある、1つまたは複数の周波数帯域を使用して動作し得る。一般に、300MHzから3GHzの領域は、超高周波(UHF)領域またはデシメートル帯域として知られているが、これは、波長がおよそ1デシメートルから1メートルに及ぶからである。UHF波は、建物および環境特性によって遮蔽されることがあり、または方向転換されることがある。しかしながら、これらの波は、マクロセルが屋内に位置するUE115にサービスを提供するのに十分に構造物を貫通し得る。UHF波の送信は、300MHz以下のスペクトルの高周波(HF)部分または超高周波(VHF)部分のより低い周波数およびより長い波を使用する送信と比較して、より小型のアンテナおよびより短い距離(たとえば、100km未満)と関連付けられ得る。
【００７８】
ワイヤレス通信システム100はまた、センチメートル帯域としても知られている、3GHzから30GHzまでの周波数帯域を使用する超高周波(SHF)領域の中で動作し得る。SHF領域は、他のユーザからの干渉を許容できるデバイスによって機会主義的に使用され得る、5GHzの産業科学医療(ISM)帯域などの帯域を含む。
【００７９】
ワイヤレス通信システム100は、ミリメートル帯域としても知られている、(たとえば、30GHzから300GHzの)スペクトルの極高周波(EHF)領域においても動作し得る。いくつかの例では、ワイヤレス通信システム100は、UE115と基地局105との間のミリメートル波(mmW)通信をサポートすることができ、それぞれのデバイスのEHFアンテナは、UHFアンテナよりも、さらに小さいことがあり、より間隔が密であることがある。いくつかの場合、これは、UE115内でのアンテナアレイの使用を容易にし得る。しかしながら、EHF送信の伝搬は、SHF送信またはUHF送信よりもさらに大きい大気減衰を受け、到達距離がより短いことがある。本明細書で開示される技法は、1つまたは複数の異なる周波数領域を使用する送信にわたって利用されることがあり、これらの周波数領域にわたる帯域の指定された使用は、国ごとにまたは規制団体ごとに異なり得る。
【００８０】
いくつかの場合、ワイヤレス通信システム100は、免許無線周波数スペクトル帯域と免許不要無線周波数スペクトル帯域の両方を利用することができる。たとえば、ワイヤレス通信システム100は、5GHz ISM帯域などの免許不要帯域において、License Assisted Access(LAA)、LTE Unlicensed(LTE-U)無線アクセス技術、またはNR技術を利用し得る。免許不要無線周波数スペクトル帯域で動作するとき、基地局105およびUE115などのワイヤレスデバイスは、データを送信する前に周波数チャネルがクリアであることを保証するために、リッスンビフォアトーク(LBT)手順を利用し得る。いくつかの場合、免許不要帯域における動作は、免許帯域において動作するCCとともにCA構成に基づき得る(たとえば、LAA)。免許不要スペクトルでの動作は、ダウンリンク送信、アップリンク送信、ピアツーピア送信、またはこれらの組合せを含み得る。免許不要スペクトルでの複信は、周波数分割複信(FDD)、時分割複信(TDD)、またはその両方の組合せに基づき得る。
【００８１】
いくつかの例では、基地局105またはUE115は、複数のアンテナを装備することがあり、これらのアンテナは、送信ダイバーシティ、受信ダイバーシティ、多入力多出力(MIMO)通信、またはビームフォーミングなどの技法を採用するために使用され得る。たとえば、ワイヤレス通信システム100は、送信デバイス(たとえば、基地局105)と受信デバイス(たとえば、UE115)との間である送信方式を使用することができ、ここで、送信デバイスは、複数のアンテナを装備し、受信デバイスは、1つまたは複数のアンテナを装備する。MIMO通信は、異なる空間レイヤを介して複数の信号を送信または受信することによってスペクトル効率を高めるためにマルチパス信号伝搬を利用することがあり、これは空間多重化と呼ばれることがある。複数の信号は、たとえば、異なるアンテナまたはアンテナの異なる組合せを介して送信デバイスによって送信され得る。同様に、複数の信号が、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームと関連付けられるビットを搬送し得る。異なる空間レイヤは、チャネル測定および報告のために使用される異なるアンテナポートと関連付けられ得る。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００８２】
空間フィルタリング、指向性送信、または指向性受信とも呼ばれ得るビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る、信号処理技法である。ビームフォーミングは、アンテナアレイに対して特定の配向で伝搬する信号が強め合う干渉を受け、他の信号が弱め合う干渉を受けるように、アンテナアレイのアンテナ要素を介して通信される信号を組み合わせることによって達成され得る。アンテナ要素を介して通信される信号の調整は、送信デバイスまたは受信デバイスが、デバイスと関連付けられたアンテナ要素の各々を介して搬送される信号に一定の振幅オフセットおよび位相オフセットを適用することを含み得る。アンテナ要素の各々と関連付けられた調整は、(たとえば、送信デバイスもしくは受信デバイスのアンテナアレイに対する、または何らかの他の配向に対する)特定の配向と関連付けられたビームフォーミング重みセットによって定義され得る。
【００８３】
一例では、基地局105は、UE115との指向性通信のためのビームフォーミング動作を行うために、複数のアンテナまたはアンテナアレイを使用し得る。たとえば、一部の信号(たとえば、同期信号、基準信号、ビーム選択信号、または他の制御信号)は、基地局105によって異なる方向に複数回送信されることがあり、これは、信号が異なる送信方向と関連付けられる異なるビームフォーミング重みセットに従って送信されることを含むことがある。異なるビーム方向への送信は、基地局105による後続の送信および/または受信のためのビーム方向を(たとえば、基地局105またはUE115などの受信デバイスによって)特定するために使用され得る。特定の受信デバイスと関連付けられたデータ信号などのいくつかの信号は、基地局105によって単一のビーム方向(たとえば、UE115などの受信デバイスと関連付けられた方向)に送信され得る。いくつかの例では、単一のビーム方向に沿った送信と関連付けられるビーム方向は、異なるビーム方向に送信された信号に少なくとも一部基づいて決定され得る。たとえば、UE115は、基地局105によって異なる方向に送信された信号のうちの1つまたは複数を受信することができ、UE115は、それが最高の信号品質で、または別様に許容可能な信号品質で受信した信号の指示を、基地局105に報告することができる。これらの技法は基地局105によって1つまたは複数の方向に送信される信号に関して説明されるが、UE115は、異なる方向に複数回信号を送信するために(たとえば、UE115による後続の送信または受信のためのビーム方向を特定するために)、または単一の方向に信号を送信するために(たとえば、データを受信デバイスに送信するために)同様の技法を利用し得る。
【００８４】
受信デバイス(たとえば、mmW受信デバイスの例であり得るUE115)は、同期信号、基準信号、ビーム選択信号、または他の制御信号などの様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれもが、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用し得る。単一の受信ビームは、異なる受信ビーム方向に従った聴取に少なくとも一部基づいて決定されたビーム方向(たとえば、複数のビーム方向に従った聴取に少なくとも一部基づいて、最高の信号強度、最高の信号対雑音比、または、別様に許容可能な信号品質を有すると決定されたビーム方向)に揃えられ得る。
【００８５】
いくつかの場合、基地局105またはUE115のアンテナは、MIMO動作をサポートし得るか、またはビームフォーミングを送信もしくは受信し得る、1つまたは複数のアンテナアレイ内に位置し得る。たとえば、1つまたは複数の基地局アンテナまたはアンテナアレイは、アンテナタワーなどのアンテナアセンブリにおいて併置され得る。いくつかの場合、基地局105と関連付けられるアンテナまたはアンテナアレイは、多様な地理的位置に配置され得る。基地局105は、基地局105がUE115との通信のビームフォーミングをサポートするために使用し得るアンテナポートのいくつかの行および列を有するアンテナアレイを有し得る。同様に、UE115は、様々なMIMO動作またはビームフォーミング動作をサポートすることができる1つまたは複数のアンテナアレイを有し得る。
【００８６】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するために、パケットのセグメント化および再アセンブリを実行し得る。媒体アクセス制御(MAC)レイヤは、優先処理、およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００８７】
いくつかの場合、UE115および基地局105は、データが受信に成功する可能性を高めるためにデータの再送信をサポートし得る。HARQフィードバックは、データが通信リンク125上で正しく受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)の中でMACレイヤにおけるスループットを改善し得る。いくつかの場合、ワイヤレスデバイスが同一スロットHARQフィードバックをサポートすることがあり、同一スロットHARQフィードバックにおいて、デバイスは、特定のスロット中の前のシンボルにおいて受信されたデータに対するHARQフィードバックを、そのスロットにおいて提供し得る。他の場合には、デバイスは、後続のスロットの中で、またはいくつかの他の時間間隔に従って、HARQフィードバックを提供し得る。
【００８８】
LTEまたはNRにおける時間間隔は、たとえば、Ts=1/30,720,000秒というサンプリング周期を基準とし得る、基本時間単位の倍数で表され得る。通信リソースの時間間隔は、10ミリ秒(ms)の持続時間を各々が有する無線フレームに従って編成されることがあり、ここで、フレーム期間は、Tf=307,200Tsとして表され得る。無線フレームは、0から1023に及ぶシステムフレーム番号(SFN)によって識別され得る。各フレームは、0から9までの番号を付けられた10個のサブフレームを含んでもよく、各サブフレームは、1msの時間長を有し得る。サブフレームは、0.5msの時間長を各々が有する2つのスロットにさらに分割されてもよく、各スロットは、(たとえば、各シンボル期間にプリペンドされたサイクリックプレフィックスの長さに依存して)6つまたは7つの変調シンボル期間を含み得る。サイクリックプレフィックスを除いて、各シンボル期間は2048個のサンプリング期間を含み得る。いくつかの場合、サブフレームは、ワイヤレス通信システム100の最小スケジューリング単位であってもよく、送信時間間隔(TTI)と呼ばれることがある。他の場合には、ワイヤレス通信システム100の最小スケジューリング単位はサブフレームよりも短いことがあるか、または(たとえば、短縮TTI(sTTI)のバーストにおいて、またはsTTIを使用する選択されたコンポーネントキャリアにおいて)動的に選択されることがある。
【００８９】
いくつかのワイヤレス通信システムでは、スロットは、1個または複数のシンボルを含む複数のミニスロットにさらに分割され得る。いくつかの事例では、ミニスロットのシンボルまたはミニスロットは、スケジューリングの最小単位であり得る。各シンボルは、たとえば、動作のサブキャリア間隔または周波数帯域に応じて、時間長が変わり得る。さらに、一部のワイヤレス通信システムは、UE115と基地局105との間の通信のために複数のスロットまたはミニスロットが一緒に集約されて使用される、スロットアグリゲーションを実装し得る。
【００９０】
「キャリア」という用語は、通信リンク125を介した通信をサポートするための定義された物理レイヤ構造を有する無線周波数スペクトルリソースのセットを指す。たとえば、通信リンク125のキャリアは、所与の無線アクセス技術に対する物理レイヤチャネルに従って動作する無線周波数スペクトル帯域の一部分を含み得る。各物理レイヤチャネルは、ユーザデータ、制御情報、または他のシグナリングを搬送することができる。キャリアは、事前に定義された周波数チャネル(たとえば、E-UTRA絶対無線周波数チャネル番号(EARFCN))と関連付けられることがあり、UE115による発見のためにチャネルラスタに従って配置されることがある。キャリアは、(たとえば、FDDモードでは)ダウンリンクもしくはアップリンクであってよく、または(たとえば、TDDモードでは)ダウンリンク通信およびアップリンク通信を搬送するように構成され得る。いくつかの例では、キャリア上で送信される信号波形は、(たとえば、OFDMまたはDFT-s-OFDMなどのマルチキャリア変調(MCM)技法を使用して)複数のサブキャリアから構成され得る。
【００９１】
キャリアの組織構造は、異なる無線アクセス技術(たとえば、LTE、LTE-A、LTE-A Pro、NRなど)に対して異なり得る。たとえば、キャリアを介した通信は、TTIまたはスロットに従って編成されることがあり、それらの各々が、ユーザデータの復号をサポートするために、ユーザデータならびに制御情報またはシグナリングを含むことがある。キャリアはまた、専用の収集シグナリング(たとえば、同期信号またはシステム情報など)と、そのキャリアに対する動作を協調させる制御シグナリングとを含み得る。いくつかの例では(たとえば、キャリアアグリゲーション構成では)、キャリアはまた、収集シグナリング、または他のキャリアに対する動作を協調させる制御シグナリングを有し得る。
【００９２】
物理チャネルは、様々な技法に従ってキャリア上で多重化され得る。物理制御チャネルおよび物理データチャネルは、ダウンリンクキャリア上で、たとえば、時分割多重化(TDM)技法、周波数分割多重化(FDM)技法、またはハイブリッドTDM-FDM技法を使用して多重化され得る。いくつかの例では、物理制御チャネルにおいて送信される制御情報は、カスケード方式で異なる制御領域の間で(たとえば、共通制御領域または共通探索空間と1つまたは複数のUE固有制御領域またはUE固有探索空間との間で)分散され得る。
【００９３】
キャリアは、無線周波数スペクトルの特定の帯域幅と関連付けられてもよく、いくつかの例では、キャリア帯域幅は、キャリアまたはワイヤレス通信システム100の「システム帯域幅」と呼ばれ得る。たとえば、キャリア帯域幅は、特定の無線アクセス技術のキャリアのためのいくつかの所定の帯域幅(たとえば、1.4、3、5、10、15、20、40、または80MHz)のうちの1つであり得る。いくつかの例では、サービスされる各UE115は、キャリア帯域幅の部分またはすべてにわたって動作するために構成され得る。他の例では、いくつかのUE115は、キャリア内の事前定義された部分または範囲(たとえば、サブキャリアまたはRBのセット)と関連付けられた狭帯域プロトコルタイプを使用する動作(たとえば、狭帯域プロトコルタイプの「帯域内」展開)のために構成され得る。
【００９４】
MCM技法を利用するシステムでは、リソース要素は1つのシンボル期間(たとえば、1つの変調シンボルの時間長)および1つのサブキャリアから構成されてもよく、シンボル期間およびサブキャリア間隔は反比例する。各リソース要素によって搬送されるビットの数は、変調方式(たとえば、変調方式の順序)に依存し得る。したがって、UE115が受信するリソース要素が多いほど、かつ変調方式の次数が高いほど、UE115のデータレートは高くなる。MIMOシステムでは、ワイヤレス通信リソースとは、無線周波数スペクトルリソース、時間リソース、および空間リソース(たとえば、空間レイヤ)の組合せを指すことがあり、複数の空間レイヤの使用が、UE115との通信のためのデータレートをさらに高め得る。
【００９５】
ワイヤレス通信システム100のデバイス(たとえば、基地局105またはUE115)は、特定のキャリア帯域幅を介した通信をサポートするハードウェア構成を有してもよく、またはキャリア帯域幅のセットのうちの1つを介した通信をサポートするように構成可能であってもよい。いくつかの例では、ワイヤレス通信システム100は、1より多くの異なるキャリア帯域幅と関連付けられたキャリアを介した同時通信をサポートすることができる基地局105および/またはUE115を含み得る。
【００９６】
ワイヤレス通信システム100は、複数のセルまたはキャリア上でのUE115との通信をサポートすることができ、その特徴は、キャリアアグリゲーション(CA)またはマルチキャリア動作と呼ばれることがある。UE115は、キャリアアグリゲーション構成に従って、複数のダウンリンクCCおよび1つまたは複数のアップリンクCCを用いて構成され得る。キャリアアグリゲーションは、FDDコンポーネントキャリアとTDDコンポーネントキャリアの両方とともに使用され得る。
【００９７】
いくつかの場合、ワイヤレス通信システム100は、拡張コンポーネントキャリア(eCC)を利用し得る。eCCは、より広いキャリアまたは周波数チャネル帯域幅、より短いシンボル時間長、より短いTTI時間長、または修正された制御チャネル構成を含む、1つまたは複数の特徴によって特徴付けられ得る。いくつかの場合、eCCは、(たとえば、複数のサービングセルが準最適または理想的でないバックホールリンクを有するとき)キャリアアグリゲーション構成またはデュアルコネクティビティ構成と関連付けられ得る。eCCはまた、(たとえば、2つ以上の事業者が、スペクトルを使用することを許可される場合)免許不要スペクトルまたは共有スペクトルにおいて使用するために構成され得る。広いキャリア帯域幅によって特徴付けられるeCCは、全キャリア帯域幅を監視することが可能でないか、またはさもなければ(たとえば、電力を節約するために)限られたキャリア帯域幅を使用するように構成されるUE115によって利用され得る、1つまたは複数のセグメントを含み得る。
【００９８】
いくつかの場合、eCCは、他のCCのシンボル時間長と比較して縮小されたシンボル時間長の使用を含み得る、他のCCとは異なるシンボル時間長を利用し得る。より短いシンボル時間長は、隣接するサブキャリア間の間隔の増大と関連付けられ得る。eCCを利用する、UE115または基地局105などのデバイスは、低減されたシンボル時間長(たとえば、16.67マイクロ秒)で、(たとえば、20、40、60、80MHzなどの周波数チャネルまたはキャリア帯域幅による)広帯域信号を送信し得る。eCCの中のTTIは、1つまたは複数のシンボル期間で構成されていてもよい。いくつかの場合、TTI時間長(すなわち、TTI中のシンボル期間の数)は可変であり得る。
【００９９】
NRシステムなどのワイヤレス通信システムは、とりわけ、免許スペクトル、共有スペクトル、および免許不要スペクトル帯域の任意の組合せを利用し得る。eCCシンボル時間長およびサブキャリア間隔の柔軟性によって、複数のスペクトルにわたるeCCの使用が可能になり得る。いくつかの例では、特にリソースの動的な(たとえば、周波数領域にわたる)垂直共有および(たとえば、時間領域にわたる)水平共有を通じて、NR共有スペクトルは、スペクトル利用率およびスペクトル効率を高め得る。
【０１００】
基地局105は、共通PDCCHを使用して、送信機会の間に使用され得る1つまたは複数の送信ビームを通信するように構成され得る。送信ビーム情報を使用して、UE115は、UE115が他の探索空間の監視をアクティブ化し、かつ/または、送信機会の少なくとも一部分の間にスリープ状態からアクティブ状態に遷移するべきであるかどうかを評価するように構成され得る。他の関係する態様もまた、本開示の異なる部分において説明される。
【０１０１】
図2は、本開示の様々な態様による、探索空間管理のための技法をサポートするワイヤレス通信システム200の例を示す。いくつかの例では、ワイヤレス通信システム200は、ワイヤレス通信システム100の態様を実装することができる。ワイヤレス通信システム200は、基地局205とUE210との間の通信を含む。基地局205は、図1を参照して説明された基地局105の例であり得る。UE210は、図1を参照して説明されたUE115の例であり得る。
【０１０２】
ワイヤレス通信システム200では、基地局205およびUE210は、(たとえば、ビームペアリンク(beam pair link)215を使用して)通信リンクを確立し得る。通信リンクを確立する一例として、ビームペアリンク215は、送信エンティティによって形成された送信ビームと、受信エンティティによって実施された指向性聴取(directional listening)とを含み得る。たとえば、ダウンリンク通信では、基地局205は、指向性送信ビーム220を形成するために、フェーズドアレイアンテナを使用してもよく、UE210は、指向性聴取225を使用してもよい。いくつかの場合、UE210によって形成された方向聴取ビーム(direction listening beam)225または送信ビーム220は、基地局205によって形成された送信ビーム220または方向聴取(direction listening)よりも大きいことがあり、その理由は、基地局205が、ビームフォーミングを行うために、より大きいアンテナのアレイを有するからである。アップリンク通信では、基地局205およびUE210の役割が逆になり得る。いくつかの場合、ワイヤレス通信システム200は、共有無線周波数帯域スペクトルにおいて動作し得る。したがって、ワイヤレス通信システム200は、通信リソースへのアクセスを得るために、競合ベースプロトコルを使用し得る。
【０１０３】
ワイヤレス通信システム200では、UE210は、スリープ状態(たとえば、UE210の電力を節約するように構成された、UE210の動作の状態)に入るように構成され得る。そのような状態では、UE210は、制御情報について探索空間を定期的に監視し得る。監視に基づいて、UE210は、情報が送信機会の間にUE210と通信されることになるかどうかを決定し得る。
【０１０４】
指向性ビームを使用するワイヤレス通信システムでは、ある制御情報が、あらゆるUEでない場合は少なくともいくつかのUEによって受信された共通PDCCHに含まれることがあり、他の制御情報が、1つまたは複数の特定のUEにアドレス指定されるUE固有のPDCCHに含まれることがある。たとえば、いくつかのワイヤレス通信システムでは、どの送信ビームが送信機会の間に使用されることになるかについての情報が、UE固有のPDCCHの一部として通信され得る。そのような構成では、ワイヤレス通信システムの中のUEは、UEがいかなる制御情報も逃さないことを確認するために、UE固有のPDCCHを含み得る、あらゆる探索空間でない場合は少なくともいくつかの探索空間を監視し得る。
【０１０５】
送信機会の間に基地局205によって使用されることになる送信ビームを示すために、共通PDCCHを使用するための技法が、本明細書で説明される。UE210は、どのビームが送信機会の間に使用されることになるかを決定するために、共通PDCCHについて探索空間を監視し得る。共通PDCCHが、UE210と関連付けられる送信ビームが送信機会の間に使用されることになることを示す場合、UE210は、追加の情報を受信するために、送信機会の少なくとも一部分の間にウェイクアップし得る。たとえば、UE210は、共通PDCCHが、UE210と関連付けられる送信ビームが送信機会の間に使用されることになることを示すことに基づいて、送信機会の間に他のUE固有のPDCCHを監視し得る。共通PDCCHが、UE210と関連付けられる送信ビームが送信機会の間に使用されることにならないことを示す場合、UE210は、スリープ状態に入り(または再び入り)得る。送信機会の間に使用されることになる送信ビームについての情報を組み込むことによって、少なくともいくつかのUEが、スリープ状態に入るか、または再び入ることによって、送信機会の間に電力を節約するように構成され得る。いくつかの場合、共通PDCCHは、情報の中でも、送信機会の開始の指示を含み得る。
【０１０６】
いくつかの場合、探索空間のうちの1つ(またはサブセット)が、アンカー探索空間(anchor search space)またはアンカー探索空間セットとして指定され得る。アンカー探索空間は、1次セル(PCell)または1次2次セル(PSCell)の中に位置し得る。PCellまたはPSCellの中の制御リソースセット(コアセット(coreset))の品質が、無線リンク監視またはビーム障害検出のために追跡および維持され得るので、アンカー探索空間は、PCellまたはPSCellの中に位置し得る。基地局205によってサービスされるUE(たとえば、UE210)は、PDCCHまたは共通PDCCHについて、アンカー探索セットを監視し得る。他の探索空間は、アンカー探索空間の間に受信されたPDCCHに含まれた情報に基づいて、動的にアクティブ化または非アクティブ化され得る。UE210による探索空間のアクティブ化/非アクティブ化は、UEがアクティブ状態とスリープ状態との間で遷移する例であり得る。いくつかの場合、探索空間を動的にアクティブ化/非アクティブ化することは、同じコンポーネントキャリアまたは同じ帯域幅パート内であることに限定され得る。いくつかの場合、探索空間を動的にアクティブ化/非アクティブ化することは、他のアクティブなコンポーネントキャリアまたは帯域幅パート内であることに限定され得る。
【０１０７】
図3は、本開示の様々な態様による、探索空間管理のための技法をサポートするタイミング図300の例を示す。いくつかの例では、タイミング図300は、ワイヤレス通信システム100および200の態様を実装し得る。
【０１０８】
タイミング図300は、送信機会320の間の基地局305と、第1のUE310と、第2のUE315との間の指向性通信を示す。送信機会320は、共通PDCCH325と、複数のUE固有のPDCCH330、335、340とを含む、複数のリソースセットを含み得る。共通PDCCH325は、基地局305によってサービスされる複数のUEのための制御情報を含むように構成される、コアセットの一部であり得るか、またはコアセットを含み得る。基地局305によってサービスされる各UE(たとえば、第1のUE310および第2のUE315)は、共通PDCCH325について探索空間を監視し得る。UE固有のPDCCH330、335、340は、基地局305によってサービスされるUEのサブセットのための制御情報を含むように構成され得る。たとえば、UE固有のPDCCH330、335、340は、1つまたは複数のUE(たとえば、第1のUE310)のための制御情報を含み得る。基地局305は、図1および図2を参照して説明された基地局105、205の例であり得る。UE310、315は、図1および図2を参照して説明されたUE115、210の例であり得る。
【０１０９】
タイミング図300はまた、送信機会320の間に基地局305によって使用され得る送信ビーム345、350、355、360を示し得る。タイミング図300はまた、送信機会320の間に第1のUE310によって使用される指向性聴取365、370、375、380、および/または、送信機会320の間に第2のUE315によって使用される指向性聴取385を示し得る。
【０１１０】
共通PDCCH325は、送信機会320の間に基地局305によって使用されることになる送信ビームの指示を含むように構成され得る。送信ビームの指示は、1つまたは複数の異なる技法を使用して行われ得る。いくつかの場合、共通PDCCH325は、送信ビームのセットを使用するように構成されるUEのグループを示し得る。いくつかの場合、共通PDCCH325は、送信機会320の間に基地局305によって使用されることになる送信ビームを示すか、または、送信ビームのセットを使用するように構成されるUEのグループ、もしくは他の情報、もしくはそれらの任意の組合せを示す、送信構成インジケータ(TCI)を含み得る。これらの場合のいずれにおいても、UE310、315は、UEが送信機会320の間にスリープ状態に入ることができるかどうか、またはUEが送信機会320の少なくとも一部分の間にアクティブ状態であるべきであるかどうかを決定するために、共通PDCCH325における情報を使用し得る。いくつかの場合、共通PDCCH325は、送信機会の開始の指示を含み得る。いくつかの場合、UEのスリープ状態は、UEの低電力状態と呼ばれることがある。
【０１１１】
第1のUE310は、送信機会320の少なくとも一部分の間にアクティブ状態であるUEの例として示されている。第1のUE310は、共通PDCCH325について探索空間を監視し得る。第1のUE310は、基地局305が第1のUE310と関連付けられる送信ビームを使用するかどうかを決定し得る。基地局305が第1のUE310と関連付けられる送信ビームを使用すると決定すると、第1のUE310は、送信機会320の少なくとも一部分の間にアクティブ状態であるように調整し得る。
【０１１２】
いくつかの場合、第1のUE310は、共通PDCCH325における指示に基づいて、送信機会320の残りの間にアクティブ状態に入り得る。いくつかの場合、第1のUE310は、共通PDCCH325における指示に基づいて、送信機会320と関連付けられる1つまたは複数のUE固有のPDCCH330、335、340について、探索空間を監視するために、アクティブ状態に入り得る。たとえば、第1のUE310は、送信機会320における各UE固有のPDCCH330、335、340のためにアクティブであり得る。他の例では、第1のUE310は、送信機会におけるUE固有のPDCCHの一部分のみ(たとえば、サブセット)を監視し得る。そのような例では、共通PDCCH325は、どのUE固有のPDCCHを第1のUE310が監視するように意図されるかの指示を含み得る。第1のUE310は、共通PDCCH325を受信すること、および/あるいは1つまたは複数のUE固有のPDCCH330、335、340を受信することに基づいて、基地局305から情報またはデータを受信するために、アクティブ状態に入り得る。
【０１１３】
第2のUE315は、共通PDCCH325を受信した後、送信機会320の間にスリープ状態に入るUEの例として示されている。第2のUE315は、共通PDCCH325について探索空間を監視し得る。第2のUE315は、基地局305が第2のUE315と関連付けられる送信ビームを使用するかどうかを決定し得る。基地局305が第2のUE315と関連付けられる送信ビームを使用しないと決定すると、第2のUE315は、送信機会320の残りの間にスリープ状態に入り得る。
【０１１４】
いくつかの場合、共通PDCCH325はまた、送信機会320の間に未使用になる送信ビームの指示を含み得る。そのような場合、第2のUE315は、第2のUE315と関連付けられる送信ビームが送信機会320の間に未使用になると決定し得る。第2のUE315は、この決定に基づいて、送信機会320の残りの間にスリープ状態に入り得る。
【０１１５】
いくつかの場合、基地局305は、いくつかの場合にビーム掃引パターンにおいて送信され得る、複数の送信ビーム345を使用して、共通PDCCH325を送信し得る。基地局305によってサービスされるUEは、単一の指向性送信ビームを使用して到達可能ではないことがある。さらに、UEは、カバレッジエリア全体にわたって移動し、それによって、ビームペアリンクにおける不整合を潜在的に引き起こし得る。これらの問題に対処するために、基地局305は、複数の送信ビーム345が異なる時間にまたは同時に異なる角度で送信される、ビーム掃引パターンを使用して、複数の送信ビーム345において共通PDCCH325を送信し得る。UEは、ビーム掃引された共通PDCCH325のうちの1つまたは複数を受信し得る。
【０１１６】
いくつかの場合、基地局305およびUE310、315は、送信機会320の間に他のPDCCH、および送信機会320の間に情報またはデータを通信するために使用される、2次セルとは異なる、第1のセル(たとえば、1次セル)上で、共通PDCCH325を通信するように構成され得る。たとえば、共通PDCCH325は、sub-6ギガヘルツ無線周波数スペクトル帯域内であるセルを使用して送信されてもよく、送信機会の他の部分は、ミリメートル波無線周波数スペクトル帯域である無線周波数スペクトル帯域において送信されてもよい。いくつかの場合、指向性送信ビームの指示は、指向性ビームを使用しない無線周波数帯域を使用して受信され得る。いくつかの場合、指向性送信ビームの指示は、情報を通信するために使用される無線アクセス技術とは異なる無線アクセス技術を使用して受信され得る。たとえば、情報は、NRにおいて指向性ビームを使用して通信されてもよく、共通PDCCHは、LTE、3G、sub-6GHz範囲を使用するNR、CDMA、Wi-Fi、または他の無線アクセス技術を使用して通信され得る。そのような場合は、キャリアアグリゲーションの一部として使用され得る。
【０１１７】
図4は、本開示の様々な態様による、探索空間管理のための技法をサポートするフロー図400の例を示す。いくつかの例では、フロー図400は、ワイヤレス通信システム100および200の態様を実装し得る。フロー図400は、基地局405およびUE410の通信および/または機能を示す。基地局405は、図1〜図3を参照して説明された基地局105、205、305の例であり得る。UE410は、図1〜図3を参照して説明されたUE115、210、310、315の例であり得る。
【０１１８】
フロー図400は、基地局405によって、UE410に、送信機会の間に使用されることになる送信ビームを示すために、共通PDCCHを使用するための方法を示す。基地局405はまた、UE410に、送信機会の間に探索空間を監視するための周期を示し得る。
【０１１９】
ブロック415において、基地局405は、初期化手順を実行し得る。初期化手順は、基地局405とUE410との間の将来の通信において使用するために、UE410を1つまたは複数の送信ビームと関連付けるように構成され得る。基地局405およびUE410は、初期化手順の一部として、1つまたは複数のメッセージ420を交換し得る。たとえば、基地局405およびUE410は、(たとえば、能力についての)情報に対する1つまたは複数の要求と、要求への1つまたは複数の応答とを交換し得る。
【０１２０】
ブロック425において、基地局405は、送信機会の間の送信のための情報を特定し得る。たとえば、基地局405は、バッファされたデータがUE410に送信されることを待機中であることを特定し得る。いくつかの場合、基地局405は、特定された情報を通信するための送信機会を取得するために、共有無線周波数スペクトル帯域へのアクセスのために競合し得る。
【０１２１】
ブロック430において、基地局405は、特定された情報を受信するためのUE(たとえば、UE410)を特定し得る。情報を受信するためのUEを決定することは、基地局405によって、送信機会の間に使用するための送信ビームを決定するために使用され得る。
【０１２２】
ブロック435において、基地局405は、送信機会の間に使用するための少なくとも1つの送信ビームを特定し得る。いくつかの場合、少なくとも1つの送信ビームを特定することは、送信機会の間に情報を受信するようにスケジュールされた1つまたは複数のUEに基づき得る。
【０１２３】
少なくとも1つの送信ビームが特定されると、基地局405は、共通PDCCH450に含めるための指示を生成し得る。指示は、UE410と情報を通信するために、送信機会の間に使用される送信ビームについて、UE410に知らせるために使用され得る。共通PDCCH450における指示は、送信機会の間に使用されることになる送信ビームのインデックスを特定してもよく、指示は、送信機会の間に使用されない送信ビームのインデックスを特定してもよく、指示は、送信機会の間に使用されることになる送信ビームと、未使用のまま残る送信ビームの両方のインデックスを特定してもよく、指示は、送信機会の間に情報を受信するようにスケジュールされたUEのグループを特定してもよく、または指示は、送信機会の間に使用されることになる送信ビームと関連付けられるTCI、もしくは組合せを特定してもよい。
【０１２４】
ブロック440において、基地局405は、送信機会の間に情報を受信するようにスケジュールされた少なくとも1つのUEを含む、UEの1つまたは複数のグループを特定し得る。UEの各グループは、1つまたは複数の送信ビームと関連付けられ得る。UEのグループを特定することによって、基地局405は、送信機会の間に使用されることになる送信ビームを特定中であり得る。
【０１２５】
いくつかの場合、基地局405は、様々なファクタに基づいて、UEを1つまたは複数のグループにグループ化し、次いで、各グループでない場合は少なくともいくつかのグループに、送信ビームを割り当て得る。たとえば、基地局405は、カバレッジエリア内の位置、または他のファクタに基づいて、UEをグループ化し得る。いくつかの例では、基地局405は、初期化手順の一部として、UEをグループ化し得る。UEがグループ化され、送信ビームを割り当てられると、基地局405は、どの送信ビームが送信機会の間に使用されるかを通信するために、これらのグループを使用し得る。そのような例では、基地局405は、送信機会の間に情報を受信するようにスケジュールされた少なくとも1つのUEを含む、UEの1つまたは複数のグループのための識別子を、共通PDCCH450内に含め得る。UE(たとえば、UE410)は、UEが送信機会の少なくとも一部分の間にアクティブ状態であるべきであるかどうかを決定するために、グループのその識別子を使用し得る。
【０１２６】
ブロック445において、基地局405は、送信機会の間に情報を受信するようにスケジュールされた少なくとも1つのUEと関連付けられるTCIを特定し得る。TCIは、共通PDCCH450に含まれてもよく、TCIは、送信機会の間に使用されることになる送信ビームを示すように構成され得る。共通PDCCH450は、1つまたは複数のTCIを含むように構成され得る。基地局405は、基地局405が送信機会の間に使用することを意図するTCIを含む、共通PDCCH450を送信し得る。意図されたTCIと関連付けられていないUEは、送信機会の持続時間の間にスリープ状態に入り得る。
【０１２７】
いくつかの場合、TCIは、1つまたは複数の送信ビーム、あるいは送信ビームの1つまたは複数のグループと関連付けられ得る。いくつかの場合、TCIは、1つまたは複数の送信ビーム、あるいは送信ビームの1つまたは複数のグループにマッピングされてもよく、UE410は、(たとえば、あらかじめ構成されたマッピングに基づいて、マッピングの参照に基づいて、マッピングを有するルックアップテーブルに基づいて、またはそれらの組合せで)マッピングを知り得る。いくつかの場合、基地局は、ある制御情報を使用して、UEにマッピング情報をブロードキャストし得る。そのような場合、UE410は、共通PDCCH450に含まれた1つまたは複数のTCIに基づいて、送信機会において使用された送信ビームを特定するように構成され得る。いくつかの場合、各TCIは、1つの送信ビーム、または送信ビームの1つのグループにマッピングされる。
【０１２８】
いくつかの場合、TCIは、1つまたは複数のUE、あるいはUEのグループと関連付けられ得る。いくつかの場合、TCIは、1つまたは複数のUE、あるいはUEのグループにマッピングされてもよく、UE410は、マッピングを知り得る。そのような場合、UE410は、共通PDCCH450に含まれた1つまたは複数のTCIに基づいて、送信機会において使用された送信ビームを特定するように構成され得る。いくつかの場合、各TCIは、1つのUE、またはUEの1つのグループにマッピングされる。
【０１２９】
ブロック455において、UE410は、共通PDCCH450について、第1の探索空間を監視し得る。UE410は、第1の探索空間を監視することに基づいて、共通PDCCH450を受信し得る。
【０１３０】
ブロック460において、UE410は、共通PDCCH450を受信することに基づいて、送信機会の間に使用されることになる少なくとも1つの送信ビームを特定し得る。UE410は、様々な異なる方法を使用して、送信ビームを特定し得る。
【０１３１】
いくつかの場合、共通PDCCH450は、送信ビームを直接示すフィールドを含み得る。そのような場合、共通PDCCH450は、送信機会の間に使用されることになる送信ビームのインデックス、または送信ビームのグループのインデックスを含み得る。UE410は、インデックスを特定することによって、送信ビームを特定し得る。
【０１３２】
いくつかの場合、ブロック465において、共通PDCCH450は、送信機会の間に情報を受信するようにスケジュールされた少なくとも1つのUEを含む、UEの1つまたは複数のグループを示す、フィールドを含み得る。そのような場合、共通PDCCH450は、送信機会の間に情報を受信するように構成されたUEのグループのインデックスを含み得る。UE410は、共通PDCCH450におけるインデックスによって特定されたUEのグループを特定してもよく、特定されたグループに基づいて、送信ビームを特定し得る。いくつかの場合、UE410は、送信ビームへのUEのグループのマッピングに基づいて、送信ビームを特定し得る。
【０１３３】
いくつかの場合、ブロック470において、共通PDCCH450は、送信機会の間に使用されることになる1つまたは複数のTCIを示すフィールドを含む。UE410は、共通PDCCH450におけるTCIを特定してもよく、TCIに基づいて、送信ビームを特定し得る。いくつかの場合、UE410は、送信ビームへのTCIのマッピングに基づいて、送信ビームを特定し得る。
【０１３４】
いくつかの場合、TCIは、送信機会の間に情報を受信するようにスケジュールされた少なくとも1つのUEを含む、UEの1つまたは複数のグループと関連付けられ得る。たとえば、単一のTCIは、1対1マッピングにおいて、UEの単一のグループにマッピングされ得る。他の例では、単一のTCIは、1対多マッピングにおいて、UEの複数のグループにマッピングされ得る。また他の例では、複数のTCIは、多対1マッピングにおいて、UEの単一のグループにマッピングされ得る。またさらなる例では、複数のTCIは、多対多マッピングにおいて、UEの複数のグループにマッピングされ得る。UEの各グループは、グループと送信ビームとの間の1対1マッピングにおいて、送信ビームのセットと関連付けられ得る。UE410は、共通PDCCH450に含まれたTCIに基づいて、UEのグループを特定し得る。UE410は次いで、TCIによって示されたUEのグループに基づいて、送信ビームを特定し得る。いくつかの場合、UE410は、送信ビームへのUEのグループのマッピングに基づいて、送信ビームを特定し得る。
【０１３５】
ブロック475において、UE410は、UE410と関連付けられる1つまたは複数の送信ビームを特定することに基づいて、送信機会の間に少なくとも1回、スリープ状態からアクティブ状態に遷移し得る。たとえば、UE410は、UE410と関連付けられ、共通PDCCH450において示された、送信ビームを特定することに基づいて、送信機会の残りの間にアクティブ状態に遷移し得る。別の例では、UE410は、UE410と関連付けられ、共通PDCCH450において示された、送信ビームを特定することに基づいて、共通PDCCH450において示された送信機会の間の一度に、アクティブ状態に遷移し得る。
【０１３６】
ブロック480において、UE410は、UE410と関連付けられ、共通PDCCH450において示された、送信ビームを特定することに基づいて、送信機会の間に第2の探索空間を監視し得る。UE410は、送信機会に含まれた1つまたは複数のUE固有のPDCCH485について、探索空間を監視し得る。この機能は、UE410と関連付けられ、共通PDCCH450において示された、送信ビームを特定することに基づいて、UE410がアクティブ状態に遷移する別の例であり得る。
【０１３７】
UE410は、共通PDCCH450について監視すること、および/または他のPDCCH485について監視することに基づいて、情報490を受信するように構成され得る。いくつかの場合、UE410は、共通PDCCH450を受信することに基づいて、他の情報(たとえば、他のPDCCH485)とは無関係に、情報を受信するように構成され得る。いくつかの場合、UE410は、UE固有のPDCCH485を受信することに基づいて、情報を受信するように構成され得る。いくつかの場合、UE410は、共通PDCCH450と、少なくとも1つのUE固有のPDCCH485の両方を受信することに基づいて、情報を受信するように構成され得る。情報は、物理ダウンリンク共有チャネル(PDSCH)の一部として送信されたデータ、または異なるPDCCHの一部として送信された制御情報、他のチャネルを使用して受信された情報、またはそれらの組合せを備え得る。
【０１３８】
図5は、本開示の様々な態様による、探索空間管理のための技法をサポートするタイミング図500の例を示す。いくつかの例では、タイミング図500は、ワイヤレス通信システム100および200の態様を実装し得る。
【０１３９】
タイミング図500は、UEがどのくらいの頻度でPDCCH505について探索空間を監視するかを調整するために、UEが使用し得る方法およびシグナリングを示す。タイミング図500は、基地局およびUEの通信および/または機能を示し得る。タイミング図500を参照して説明される基地局は、図1〜図4を参照して説明された基地局105、205、305、405の例であり得る。タイミング図500を参照して説明されるUEは、図1〜図4を参照して説明されたUE115、210、310、315、410の例であり得る。
【０１４０】
いくつかのワイヤレス通信システムでは、UEは、送信機会の開始の指示のためのアンカーコアセットを含み得る共通PDCCH505について、アンカー探索空間を監視し得る。そのような構成によって、UEが、特にいくつかの共有無線周波数帯域スペクトルにおいて、送信機会の開始について探索するとき、ブラインド復号を低減することが可能になり得る。
【０１４１】
UEが共通PDCCH505を検出すると、UEは、PDCCH505監視オーバーヘッドを低減するために、より頻度の低い監視を伴う別のコアセットに切り替え得る。たとえば、UEは、第1の周期で(たとえば、ミニスロット510ごとに1回)PDCCH505について監視し得るが、UEは、第2の周期で(たとえば、スロット515ごとに1回)PDCCH505について監視することに切り替え得る。いくつかの場合、共通PDCCHは、将来のPDCCH505について監視するための1つまたは複数の周期を示し得る。たとえば、共通PDCCHは、UEがPDCCH505について監視するために使用することになる周期を示すフィールドを含み得る。いくつかの場合、UEは、初期または第1の周期とは異なることがあり、いくつかの場合、UEが、しきい値を満たす持続時間の間にPDCCHを受信しないことに基づき得る、PDCCHについて監視するための第2の周期を選択し得る。
【０１４２】
この例は、UEが第1の周期でPDCCH505を監視するための通常モードで動作することを含み得る。通常モードでは、UEは、スロット515ごとに1回、PDCCH505について監視し得る。低レイテンシモードでは、UEは、ミニスロット510ごとに1回、PDCCH505について監視し得る。
【０１４３】
図6は、本開示の様々な態様による、探索空間管理のための技法をサポートするフロー図600の例を示す。いくつかの例では、フロー図600は、ワイヤレス通信システム100および200の態様を実装し得る。フロー図600は、基地局605およびUE610の通信および/または機能を示す。基地局605は、図1〜図5を参照して説明された基地局105、205、305、405の例であり得る。UE610は、図1〜図5を参照して説明されたUE115、210、310、315、410の例であり得る。
【０１４４】
フロー図600は、どのくらいの頻度でUE610がPDCCHについて監視するかを変更するための方法を示す。いくつかの場合、基地局605は、UE610に、共通PDCCH640を使用して、送信機会の間に探索空間を監視するための周期を示し得る。いくつかの場合、UE610は、UE610が最後に情報(たとえば、PDCCH)を受信してからの持続時間がしきい値を満たすことに基づいて、探索空間を監視するための周期を決定し得る。
【０１４５】
ブロック615において、基地局605は、初期化手順を実行し得る。初期化手順は、UE610がPDCCHについて探索空間を監視するための周期を設定するように構成され得る。いくつかの場合、初期化手順は、基地局605とUE610との間の将来の通信において使用するために、UE610を1つまたは複数の送信ビームと関連付けるために使用され得る。基地局605およびUE610は、初期化手順の一部として、1つまたは複数のメッセージ620を交換し得る。たとえば、基地局605およびUE610は、(たとえば、能力についての)情報に対する1つまたは複数の要求と、要求への1つまたは複数の応答とを交換し得る。
【０１４６】
ブロック625において、基地局605は、送信機会の間の送信のための情報を特定し得る。たとえば、基地局605は、情報(たとえば、バッファされたデータ)がUE610に送信されることを待機中であることを特定し得る。いくつかの場合、基地局605は、特定された情報を通信するための送信機会を取得するために、共有無線周波数スペクトル帯域へのアクセスのために競合し得る。
【０１４７】
ブロック630において、基地局605は、特定された情報を受信するためのUE(たとえば、UE610)を特定し得る。情報を受信するためのUEを決定することは、基地局605によって、送信機会の間に使用するための送信ビームを決定するために使用され得る。
【０１４８】
ブロック635において、基地局605は任意選択で、UEがPDCCHについて探索空間を監視するための周期を特定し得る。基地局605は、いくつかの場合、共通PDCCHにおいて周期の指示を含め得る。いくつかの場合、指示は、UE610によってPDCCHについて監視するために使用されることになる周期を特定し得る。いくつかの場合、指示は、UE610が所与のモード(たとえば、通常モード、または低レイテンシモード)に入るためのトリガであり得る。UE610が所与のモードに入ると、UE610は、そのモードと関連付けられる、PDCCHについて監視するための周期を使用し得る。
【０１４９】
ブロック645において、UE610は、第1の周期を使用して、共通PDCCH640について、第1の探索空間を監視し得る。第1の周期は、基地局605によって決定され、PDCCH(たとえば、共通PDCCH)を使用して通信され得るか、UE610によって決定され得るか、またはUE610の動作のモードと関連付けられ得るか、またはそれらの組合せであり得る。UE610は、いくつかの場合、第1の探索空間を監視することに基づいて、共通PDCCH640を受信し得る。
【０１５０】
ブロック650において、UE610は、UE610がPDCCHについて探索空間を監視するための周期を特定し得る。いくつかの場合、UE610は、UE610が使用することになる周期を指定する、共通PDCCH640に含まれたインジケータを特定し得る。いくつかの場合、共通PDCCH640は、UE610のための動作のモードを含むインジケータを含んでもよく、ここで、周期は、動作のモードと関連付けられる。いくつかの場合、UE610は、PDCCH(または共通PDCCH640)を最後に受信してからの持続時間がしきい値を満たすかどうかを決定し得る。UE610は、持続時間がしきい値を満たすことに基づいて、新しい周期、または新しい動作のモードを決定し得る。
【０１５１】
ブロック655において、UE610は、第1の周期とは異なる第2の周期を使用して、1つまたは複数の探索空間を監視し得る。UE610は、本明細書で説明されるトリガのうちの1つに基づいて、周期を調整し得る。UE610は、(共通かUE固有かにかかわらず)1つまたは複数のPDCCH660について、探索空間を監視し得る。この機能は、UE610がアクティブ状態に遷移する別の例であり得る。
【０１５２】
UE610は、共通PDCCH640について監視すること、および/または他のPDCCH660について監視することに基づいて、情報665を受信するように構成され得る。いくつかの場合、UE610は、共通PDCCH640のみを受信することに基づいて、情報を受信するように構成され得る。いくつかの場合、UE610は、UE固有のPDCCH660を受信することに基づいて、情報を受信するように構成され得る。いくつかの場合、UE610は、共通PDCCH640と、少なくとも1つのUE固有のPDCCH660の両方を受信することに基づいて、情報を受信するように構成され得る。情報は、PDSCHの一部として送信されたデータ、または異なるPDCCHの一部として送信された制御情報、他のチャネルを使用して受信された情報、またはそれらの組合せを備え得る。
【０１５３】
フロー図600を参照して説明された方法および機能は、図4を参照して説明されたフロー図400を参照して説明された方法および機能と組み合わせられ得る。フロー図400およびフロー図600の方法、機能、ステップ、手順、および/または動作が組み合わせられるとき、それらの方法、機能、ステップ、手順、および/または動作は、再構成されるかまたは他の方法で修正されてもよい。
【０１５４】
図7は、本開示の態様による、探索空間管理のための技法をサポートするデバイス705のブロック図700を示す。デバイス705は、本明細書で説明されるようなUE115の態様の例であり得る。デバイス705は、受信機710と、通信マネージャ715と、送信機720とを含み得る。デバイス705は、プロセッサも含み得る。これらの構成要素の各々は、(たとえば、1つまたは複数のバスを介して)互いに通信していてもよい。
【０１５５】
受信機710は、パケット、ユーザデータ、または様々な情報チャネルと関連付けられる制御情報(たとえば、制御チャネル、データチャネル、および探索空間管理のための技法に関する情報など)などの情報を受信し得る。情報は、デバイス705の他の構成要素に受け渡され得る。受信機710は、図10を参照して説明されるように、トランシーバ1020の態様の例であり得る。受信機710は、単一のアンテナまたはアンテナのセットを利用し得る。
【０１５６】
通信マネージャ715は、送信機会と関連付けられる共通物理ダウンリンク制御チャネルについて、探索空間を監視し、共通物理ダウンリンク制御チャネルに基づいて、送信機会の間の基地局による使用のための少なくとも1つの送信ビームを特定し、送信機会の間に少なくとも1つの送信ビームを使用して、情報を受信し得る。通信マネージャ715はまた、第1の周期を使用して、送信機会と関連付けられる共通物理ダウンリンク制御チャネルについて、探索空間を監視し、第2の周期を特定することに基づいて、第2の周期を使用して、第2の共通物理ダウンリンク制御チャネルについて、探索空間を監視し、第1の周期を使用して、探索空間を監視することに基づいて、共通物理ダウンリンク制御チャネルを検出し、共通物理ダウンリンク制御チャネルに含まれた情報に基づいて、探索空間を監視するための第2の周期を特定し得る。通信マネージャ715は、本明細書で説明される通信マネージャ1010の態様の例であり得る。
【０１５７】
通信マネージャ715またはその下位構成要素は、ハードウェアで実装されてもよく、プロセッサによって実行されるコード(たとえば、ソフトウェアまたはファームウェア)であってもよく、またはこれらの任意の組合せで実装されてもよい。プロセッサによって実行されるコードで実装される場合、通信マネージャ715またはその下位構成要素の機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本開示で説明される機能を実行するように設計されたそれらの任意の組合せによって実行されてもよい。
【０１５８】
通信マネージャ715またはその下位構成要素は、機能の部分が1つまたは複数の物理構成要素によって異なる物理的位置において実装されるように分散されることを含めて、様々な場所において物理的に位置し得る。いくつかの例では、通信マネージャ715またはその下位構成要素は、本開示の様々な態様による別個のおよび異なる構成要素であり得る。いくつかの例では、通信マネージャ715またはその下位構成要素は、限定はされないが、入出力(I/O)構成要素、トランシーバ、ネットワークサーバ、別のコンピューティングデバイス、本開示で説明される1つもしくは複数の他の構成要素、または本開示の様々な態様によるそれらの組合せを含む、1つまたは複数の他のハードウェア構成要素と組み合わせられ得る。
【０１５９】
送信機720は、デバイス705の他の構成要素によって生成された信号を送信し得る。いくつかの例では、送信機720は、トランシーバモジュールにおいて受信機710と併置され得る。たとえば、送信機720は、図10を参照して説明されるトランシーバ1020の態様の例であり得る。送信機720は、単一のアンテナまたはアンテナのセットを利用し得る。
【０１６０】
図8は、本開示の態様による、探索空間管理のための技法をサポートするデバイス805のブロック図800を示す。デバイス805は、本明細書で説明されるようなデバイス705またはUE115の態様の例であり得る。デバイス805は、受信機810と、通信マネージャ815と、送信機845とを含み得る。デバイス805は、プロセッサも含み得る。これらの構成要素の各々は、(たとえば、1つまたは複数のバスを介して)互いに通信していてもよい。
【０１６１】
受信機810は、パケット、ユーザデータ、または様々な情報チャネルと関連付けられる制御情報(たとえば、制御チャネル、データチャネル、および探索空間管理のための技法に関する情報など)などの情報を受信し得る。情報は、デバイス805の他の構成要素に受け渡され得る。受信機810は、図10を参照して説明されるように、トランシーバ1020の態様の例であり得る。受信機810は、単一のアンテナまたはアンテナのセットを利用し得る。
【０１６２】
通信マネージャ815は、本明細書で説明されるような通信マネージャ715の態様の例であり得る。通信マネージャ815は、探索空間マネージャ820、送信ビームマネージャ825、情報マネージャ830、PDCCHマネージャ835、および周期マネージャ840を含み得る。通信マネージャ815は、本明細書で説明される通信マネージャ1010の態様の例であり得る。
【０１６３】
探索空間マネージャ820は、送信機会と関連付けられる共通物理ダウンリンク制御チャネルについて、探索空間を監視し得る。
【０１６４】
送信ビームマネージャ825は、共通物理ダウンリンク制御チャネルに基づいて、送信機会の間の基地局による使用のための少なくとも1つの送信ビームを特定し得る。
【０１６５】
情報マネージャ830は、送信機会の間に少なくとも1つの送信ビームを使用して、情報を受信し得る。
【０１６６】
探索空間マネージャ820は、第1の周期を使用して、送信機会と関連付けられる共通物理ダウンリンク制御チャネルについて、探索空間を監視し、第2の周期を特定することに基づいて、第2の周期を使用して、第2の共通物理ダウンリンク制御チャネルについて、探索空間を監視し得る。
【０１６７】
PDCCHマネージャ835は、第1の周期を使用して、探索空間を監視することに基づいて、共通物理ダウンリンク制御チャネルを検出し得る。
【０１６８】
周期マネージャ840は、共通物理ダウンリンク制御チャネルに含まれた情報に基づいて、探索空間を監視するための第2の周期を特定し得る。
【０１６９】
送信機845は、デバイス805の他の構成要素によって生成された信号を送信し得る。いくつかの例では、送信機845は、トランシーバモジュールにおいて受信機810と併置され得る。たとえば、送信機845は、図10を参照して説明されるトランシーバ1020の態様の例であり得る。送信機845は、単一のアンテナまたはアンテナのセットを利用し得る。
【０１７０】
図9は、本開示の態様による、探索空間管理のための技法をサポートする通信マネージャ905のブロック図900を示す。通信マネージャ905は、本明細書で説明される通信マネージャ715、通信マネージャ815、または通信マネージャ1010の態様の例であり得る。通信マネージャ905は、探索空間マネージャ910、送信ビームマネージャ915、情報マネージャ920、スリープ状態マネージャ925、UEグループマネージャ930、TCIマネージャ935、キャリアアグリゲーションマネージャ940、ビーム掃引マネージャ945、周期マネージャ950、PDCCHマネージャ955、および持続時間マネージャ960を含み得る。これらのモジュールの各々は、(たとえば、1つまたは複数のバスを介して)互いと直接または間接的に通信していることがある。
【０１７１】
探索空間マネージャ910は、送信機会と関連付けられる共通物理ダウンリンク制御チャネルについて、探索空間を監視し得る。いくつかの例では、探索空間マネージャ910は、第1の周期を使用して、送信機会と関連付けられる共通物理ダウンリンク制御チャネルについて、探索空間を監視し得る。
【０１７２】
いくつかの例では、探索空間マネージャ910は、第2の周期を特定することに基づいて、第2の周期を使用して、第2の共通物理ダウンリンク制御チャネルについて、探索空間を監視し得る。いくつかの例では、探索空間マネージャ910は、少なくとも1つの送信ビームを特定することに基づいて、送信機会と関連付けられる第2の探索空間を監視してもよく、ここで、送信機会の間に少なくとも1つの送信ビームを使用して、情報を受信することが、第2の探索空間を監視することに基づく。いくつかの例では、探索空間マネージャ910は、共通物理ダウンリンク制御チャネルに基づいて、UEの少なくとも一部分を動的にアクティブ化し得る。いくつかの場合、UEは、1つまたは複数の示された時間間隔の間にダウンリンクチャネルを監視し、1つまたは複数のPDCCHを監視し、状態を変更(たとえば、ウェイクアップ)し、またはしたがって任意の組合せであり得る。
【０１７３】
いくつかの例では、探索空間マネージャ910は、探索空間を監視することに基づいて、共通物理ダウンリンク制御チャネルを受信してもよく、ここで、少なくとも1つの送信ビームを特定することが、共通物理ダウンリンク制御チャネルを受信することに基づく。いくつかの例では、探索空間マネージャ910は、第2の送信機会と関連付けられる第2の共通物理ダウンリンク制御チャネルについて、第2の探索空間を監視し得る。いくつかの場合、探索空間は、制御リソースセットの少なくとも一部分を含む。
【０１７４】
送信ビームマネージャ915は、共通物理ダウンリンク制御チャネルに基づいて、送信機会の間の基地局による使用のための少なくとも1つの送信ビームを特定し得る。いくつかの例では、送信ビームマネージャ915は、少なくとも1つの送信ビームが、送信機会の間にUEと情報を通信するために使用されることになると決定してもよく、ここで、スリープ状態からアクティブ状態に遷移することが、少なくとも1つの送信ビームが送信機会の間にUEと情報を通信するために使用されることになると決定することに基づく。
【０１７５】
いくつかの例では、送信ビームマネージャ915は、共通物理ダウンリンク制御チャネルに基づいて、送信機会の間に基地局によって使用されない第2の送信ビームを特定し得る。いくつかの例では、送信ビームマネージャ915は、第2の送信ビームがUEと関連付けられると決定し得る。いくつかの例では、送信ビームマネージャ915は、第2の共通物理ダウンリンク制御チャネルに基づいて、第2の送信機会の間に基地局によって使用されない第2の送信ビームを特定し得る。いくつかの場合、共通物理ダウンリンク制御チャネルは、送信機会の間に使用するための送信ビームのセットを示し、送信ビームのセットは、少なくとも1つの送信ビームを含む。
【０１７６】
情報マネージャ920は、送信機会の間に少なくとも1つの送信ビームを使用して、情報を受信し得る。いくつかの場合、送信機会は、共有無線周波数スペクトルにおけるものである。
【０１７７】
スリープ状態マネージャ925は、少なくとも1つの送信ビームを特定することに基づいて、スリープ状態からアクティブ状態に遷移してもよく、ここで、情報を受信することが、スリープ状態からアクティブ状態に遷移することに基づく。いくつかの例では、スリープ状態マネージャ925は、UEによって、電力を節約するために、スリープ状態に入ってもよく、ここで、探索空間を監視することが、スリープ状態に入ることに基づく。
【０１７８】
いくつかの例では、スリープ状態マネージャ925は、送信機会の間に基地局によって使用されない第2の送信ビームを特定すること、および第2の送信ビームがUEと関連付けられると決定することに基づいて、アクティブ状態からスリープ状態に遷移し得る。いくつかの例では、スリープ状態マネージャ925は、第2の送信ビームを特定することに基づいて、アクティブ状態からスリープ状態に遷移し得る。
【０１７９】
UEグループマネージャ930は、共通物理ダウンリンク制御チャネルに含まれた送信機会の間に情報を受信するようにスケジュールされたUEのグループの識別子を特定してもよく、ここで、スリープ状態からアクティブ状態に遷移することが、送信機会の間に情報を受信するようにスケジュールされたUEのグループの特定に基づく。
【０１８０】
TCIマネージャ935は、共通物理ダウンリンク制御チャネルに基づいて、TCIを特定してもよく、ここで、スリープ状態からアクティブ状態に遷移することが、TCIを特定することに基づく。いくつかの例では、TCIマネージャ935は、共通物理ダウンリンク制御チャネルに含まれたTCIに基づいて、送信機会の間に情報を受信するようにスケジュールされたUEのグループを特定してもよく、ここで、少なくとも1つの送信ビームを特定することが、送信機会の間に情報を受信するようにスケジュールされたUEのグループを特定することに基づく。いくつかの例では、TCIとUEのグループとの間に1対1マッピングがある。
【０１８１】
キャリアアグリゲーションマネージャ940は、1次セル上で探索空間を監視してもよく、方法はさらに含む。いくつかの場合、1次セルは、sub-6ギガヘルツセルであり、2次セルは、mmWセルである。
【０１８２】
ビーム掃引マネージャ945は、探索空間を監視することに基づいて、共通物理ダウンリンク制御チャネルを含むビームのセットを受信してもよく、ここで、少なくとも1つの送信ビームを特定することが、共通物理ダウンリンク制御チャネルを含むビームのセットのうちの少なくとも1つの受信に基づく。
【０１８３】
周期マネージャ950は、共通物理ダウンリンク制御チャネルに含まれた情報に基づいて、探索空間を監視するための第2の周期を特定し得る。いくつかの例では、周期マネージャ950は、共通物理ダウンリンク制御チャネルに基づいて、探索空間を監視するための現在の周期とは異なる、探索空間を監視するための周期を特定し得る。
【０１８４】
いくつかの例では、周期マネージャ950は、周期を特定することに基づいて、第2の探索空間を監視し得る。いくつかの例では、周期マネージャ950は、送信機会の少なくとも一部分がUEのための情報を含むと決定してもよく、ここで、第2の周期を特定することが、送信機会のその部分がUEのための情報を含むことの特定に基づく。
【０１８５】
いくつかの例では、周期マネージャ950は、共通物理ダウンリンク制御チャネルが第2の周期を示すことを検出し得る。いくつかの場合、第1の周期は、ミニスロットごとに1回、探索空間を監視することを含む。いくつかの場合、第2の周期は、スロットごとに1回、探索空間を監視することを含む。
【０１８６】
PDCCHマネージャ955は、第1の周期を使用して、探索空間を監視することに基づいて、共通物理ダウンリンク制御チャネルを検出し得る。
【０１８７】
持続時間マネージャ960は、共通物理ダウンリンク制御チャネルが検出されてからの持続時間がしきい値を満たすと決定してもよく、ここで、第2の周期を特定することが、持続時間がしきい値を満たすことに基づく。
【０１８８】
図10は、本開示の態様による、探索空間管理のための技法をサポートするデバイス1005を含むシステム1000の図を示す。デバイス1005は、本明細書で説明されるようなデバイス705、デバイス805、もしくはUE115の構成要素の例であり、またはそれらを含み得る。デバイス1005は、通信マネージャ1010と、I/Oコントローラ1015と、トランシーバ1020と、アンテナ1025と、メモリ1030と、プロセッサ1040とを含む、通信を送信および受信するための構成要素を含む、双方向の音声およびデータ通信のための構成要素を含み得る。これらの構成要素は、1つまたは複数のバス(たとえば、バス1045)を介して電子的に通信していることがある。
【０１８９】
通信マネージャ1010は、送信機会と関連付けられる共通物理ダウンリンク制御チャネルについて、探索空間を監視し、共通物理ダウンリンク制御チャネルに基づいて、送信機会の間の基地局による使用のための少なくとも1つの送信ビームを特定し、送信機会の間に少なくとも1つの送信ビームを使用して、情報を受信し得る。通信マネージャ1010はまた、第1の周期を使用して、送信機会と関連付けられる共通物理ダウンリンク制御チャネルについて、探索空間を監視し、第2の周期を特定することに基づいて、第2の周期を使用して、第2の共通物理ダウンリンク制御チャネルについて、探索空間を監視し、第1の周期を使用して、探索空間を監視することに基づいて、共通物理ダウンリンク制御チャネルを検出し、共通物理ダウンリンク制御チャネルに含まれた情報に基づいて、探索空間を監視するための第2の周期を特定し得る。
【０１９０】
I/Oコントローラ1015は、デバイス1005のための入力信号および出力信号を管理し得る。I/Oコントローラ1015はまた、デバイス1005に統合されていない周辺装置を管理し得る。いくつかの場合、I/Oコントローラ1015は、外部周辺機器への物理接続またはポートを表し得る。いくつかの場合、I/Oコントローラ1015は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合には、I/Oコントローラ1015は、モデム、キーボード、マウス、タッチスクリーン、もしくは同様のデバイスを表し、またはそれと対話し得る。いくつかの場合、I/Oコントローラ1015は、プロセッサの一部として実装され得る。いくつかの場合、ユーザは、I/Oコントローラ1015を介して、またはI/Oコントローラ1015によって制御されるハードウェア構成要素を介して、デバイス1005と対話し得る。
【０１９１】
トランシーバ1020は、本明細書で説明されるように、1つまたは複数のアンテナ、有線リンク、またはワイヤレスリンクを介して、双方向に通信し得る。たとえば、トランシーバ1020は、ワイヤレストランシーバを表すことがあり、別のワイヤレストランシーバと双方向に通信し得る。トランシーバ1020はまた、パケットを変調し、変調されたパケットを送信のためにアンテナに与えるための、およびアンテナから受信されたパケットを復調するためのモデムを含み得る。
【０１９２】
いくつかの場合、ワイヤレスデバイスは単一のアンテナ1025を含み得る。しかしながら、いくつかの場合、デバイスは2つ以上のアンテナ1025を有することがあり、これらのアンテナ1025は、複数のワイヤレス送信を同時に送信または受信することが可能であり得る。
【０１９３】
メモリ1030は、ランダムアクセスメモリ(RAM)と読取り専用メモリ(ROM)とを含み得る。メモリ1030は、実行されると、プロセッサに本明細書で説明される様々な機能を実行させる命令を含む、コンピュータ可読のコンピュータ実行可能コード1035を記憶し得る。いくつかの場合、メモリ1030は、特に、周辺構成要素またはデバイスとの相互作用などの、基本ハードウェアまたはソフトウェア動作を制御し得る基本入出力システム(BIOS)を含み得る。
【０１９４】
プロセッサ1040は、インテリジェントハードウェアデバイス(たとえば、汎用プロセッサ、DSP、CPU、マイクロコントローラ、ASIC、FPGA、プログラム可能論理デバイス、個別ゲートもしくはトランジスタ論理構成要素、個別ハードウェア構成要素、またはそれらの任意の組合せ)を含み得る。いくつかの場合、プロセッサ1040は、メモリコントローラを使用してメモリアレイを動作させるように構成され得る。他の場合には、メモリコントローラは、プロセッサ1040の中に統合され得る。プロセッサ1040は、デバイス1005に様々な機能(たとえば、探索空間管理のための技法をサポートする機能またはタスク)を実行させるために、メモリ(たとえば、メモリ1030)に記憶されているコンピュータ可読命令を実行するように構成され得る。
【０１９５】
コード1035は、UEにおいてワイヤレス通信をサポートするための命令を含む、本開示の態様を実施するための命令を含み得る。コード1035は、システムメモリまたは他のタイプのメモリなどの、非一時的コンピュータ可読媒体に記憶され得る。いくつかの場合、コード1035は、プロセッサ1040によって直接実行可能ではないことがあるが、(たとえば、コンパイルされ実行されると)本明細書で説明される機能をコンピュータに実行させることができる。
【０１９６】
図11は、本開示の態様による、探索空間管理のための技法をサポートするデバイス1105のブロック図1100を示す。デバイス1105は、本明細書で説明されるような基地局105の態様の例であり得る。デバイス1105は、受信機1110と、通信マネージャ1115と、送信機1120とを含み得る。デバイス1105は、プロセッサも含み得る。これらの構成要素の各々は、(たとえば、1つまたは複数のバスを介して)互いに通信していてもよい。
【０１９７】
受信機1110は、パケット、ユーザデータ、または様々な情報チャネルと関連付けられる制御情報(たとえば、制御チャネル、データチャネル、および探索空間管理のための技法に関する情報など)などの情報を受信し得る。情報は、デバイス1105の他の構成要素に受け渡され得る。受信機1110は、図14を参照して説明されるように、トランシーバ1420の態様の例であり得る。受信機1110は、単一のアンテナまたはアンテナのセットを利用し得る。
【０１９８】
通信マネージャ1115は、少なくとも1つの送信ビームと、UEへの送信のための情報とを特定し、UEに、少なくとも1つの送信ビームの指示を含む、共通物理ダウンリンク制御チャネルを送信し、共通物理ダウンリンク制御チャネルを送信することに少なくとも一部基づいて、送信機会の間に少なくとも1つの送信ビームを使用して、UEに情報を送信し得る。通信マネージャ1115はまた、UEに送信するための情報を特定し、共通物理ダウンリンク制御チャネルを送信することに少なくとも一部基づいて、送信機会の間にUEに情報を送信し、UEが探索空間を監視するための周期を特定し、周期が現在の周期とは異なり、UEに、周期の指示を含む共通物理ダウンリンク制御チャネルを送信し得る。通信マネージャ1115は、本明細書で説明される通信マネージャ1410の態様の例であり得る。
【０１９９】
通信マネージャ1115またはその下位構成要素は、ハードウェアで実装されてもよく、プロセッサによって実行されるコード(たとえば、ソフトウェアまたはファームウェア)であってもよく、またはこれらの任意の組合せで実装されてもよい。プロセッサによって実行されるコードで実装される場合、通信マネージャ1115またはその様々な下位構成要素の機能は、汎用プロセッサ、DSP、ASIC、FPGAもしくは他のプログラマブル論理デバイス、個別ゲートもしくはトランジスタ論理、個別ハードウェア構成要素、または本開示で説明される機能を実行するように設計されたそれらの任意の組合せによって実行されてもよい。
【０２００】
通信マネージャ1115またはその下位構成要素は、機能の部分が1つまたは複数の物理構成要素によって異なる物理的位置において実装されるように分散されることを含めて、様々な場所において物理的に位置し得る。いくつかの例では、通信マネージャ1115またはその下位構成要素は、本開示の様々な態様による別個のおよび異なる構成要素であり得る。いくつかの例では、通信マネージャ1115またはその下位構成要素は、限定はされないが、入出力(I/O)構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わせられ得る。
【０２０１】
送信機1120は、デバイス1105の他の構成要素によって生成された信号を送信し得る。いくつかの例では、送信機1120は、トランシーバモジュールにおいて受信機1110と併置され得る。たとえば、送信機1120は、図14を参照して説明されるトランシーバ1420の態様の例であり得る。送信機1120は、単一のアンテナまたはアンテナのセットを利用し得る。
【０２０２】
図12は、本開示の態様による、探索空間管理のための技法をサポートするデバイス1205のブロック図1200を示す。デバイス1205は、本明細書で説明されるようなデバイス1105または基地局105の態様の例であり得る。デバイス1205は、受信機1210と、通信マネージャ1215と、送信機1240とを含み得る。デバイス1205は、プロセッサも含み得る。これらの構成要素の各々は、(たとえば、1つまたは複数のバスを介して)互いに通信していてもよい。
【０２０３】
受信機1210は、パケット、ユーザデータ、または様々な情報チャネルと関連付けられる制御情報(たとえば、制御チャネル、データチャネル、および探索空間管理のための技法に関する情報など)などの情報を受信し得る。情報は、デバイス1205の他の構成要素に受け渡され得る。受信機1210は、図14を参照して説明されるように、トランシーバ1420の態様の例であり得る。受信機1210は、単一のアンテナまたはアンテナのセットを利用し得る。
【０２０４】
通信マネージャ1215は、本明細書で説明されるような通信マネージャ1115の態様の例であり得る。通信マネージャ1215は、送信ビームマネージャ1220、PDCCHマネージャ1225、情報マネージャ1230、および周期マネージャ1235を含み得る。通信マネージャ1215は、本明細書で説明される通信マネージャ1410の態様の例であり得る。
【０２０５】
送信ビームマネージャ1220は、少なくとも1つの送信ビームと、UEへの送信のための情報とを特定し得る。
【０２０６】
PDCCHマネージャ1225は、UEに、少なくとも1つの送信ビームの指示を含む、共通物理ダウンリンク制御チャネルを送信し得る。PDCCHマネージャ1225は、UEに、周期の指示を含む共通物理ダウンリンク制御チャネルを送信し得る。
【０２０７】
情報マネージャ1230は、共通物理ダウンリンク制御チャネルを送信することに少なくとも一部基づいて、送信機会の間に少なくとも1つの送信ビームを使用して、UEに情報を送信し得る。
【０２０８】
情報マネージャ1230は、UEに送信するための情報を特定し、共通物理ダウンリンク制御チャネルを送信することに少なくとも一部基づいて、送信機会の間にUEに情報を送信し得る。
【０２０９】
周期マネージャ1235は、UEが探索空間を監視するための周期を特定してもよく、周期が現在の周期とは異なる。
【０２１０】
送信機1240は、デバイス1205の他の構成要素によって生成された信号を送信し得る。いくつかの例では、送信機1240は、トランシーバモジュールにおいて受信機1210と併置され得る。たとえば、送信機1240は、図14を参照して説明されるトランシーバ1420の態様の例であり得る。送信機1240は、単一のアンテナまたはアンテナのセットを利用し得る。
【０２１１】
図13は、本開示の態様による、探索空間管理のための技法をサポートする通信マネージャ1305のブロック図1300を示す。通信マネージャ1305は、本明細書で説明される通信マネージャ1115、通信マネージャ1215、または通信マネージャ1410の態様の例であり得る。通信マネージャ1305は、送信ビームマネージャ1310、PDCCHマネージャ1315、情報マネージャ1320、UEグループマネージャ1325、TCIマネージャ1330、初期化マネージャ1335、キャリアアグリゲーションマネージャ1340、ビーム掃引マネージャ1345、および周期マネージャ1350を含み得る。これらのモジュールの各々は、(たとえば、1つまたは複数のバスを介して)互いと直接または間接的に通信していることがある。
【０２１２】
送信ビームマネージャ1310は、少なくとも1つの送信ビームと、UEへの送信のための情報とを特定し得る。いくつかの例では、送信ビームマネージャ1310は、情報を特定することに基づいて、送信機会の間に使用されない第2の送信ビームを特定してもよく、ここで、共通物理ダウンリンク制御チャネルが、第2の送信ビームの指示を含む。いくつかの例では、送信ビームマネージャ1310は、基地局によって情報を通信するための少なくとも1つの送信ビームを特定してもよく、ここで、共通物理ダウンリンク制御チャネルが、少なくとも1つの送信ビームの第2の指示を含む。
【０２１３】
PDCCHマネージャ1315は、UEに、少なくとも1つの送信ビームの指示を含む、共通物理ダウンリンク制御チャネルを送信し得る。いくつかの例では、PDCCHマネージャ1315は、UEに、周期の指示を含む共通物理ダウンリンク制御チャネルを送信し得る。いくつかの場合、共通物理ダウンリンク制御チャネルは、共通物理ダウンリンク制御チャネルに含まれた少なくとも1つの送信ビームの特定に基づいて、UEが後続の専用PDCCH監視オケージョンを監視することになるかどうかを、UEが決定するための指示信号を含む。PDCCHマネージャ1315は、基地局が複数のUEとともに情報を送信するために、送信機会の間に使用することを意図する、複数の送信ビームのリストを含む、共通物理ダウンリンク制御チャネルを送信する。
【０２１４】
情報マネージャ1320は、共通物理ダウンリンク制御チャネルを送信することに少なくとも一部基づいて、送信機会の間に少なくとも1つの送信ビームを使用して、UEに情報を送信し得る。いくつかの例では、情報マネージャ1320は、UEに送信するための情報を特定し得る。
【０２１５】
いくつかの例では、情報マネージャ1320は、共通物理ダウンリンク制御チャネルを送信することに少なくとも一部基づいて、送信機会の間にUEに情報を送信し得る。いくつかの例では、情報マネージャ1320は、送信機会の少なくとも一部分がUEのための情報を含むと決定してもよく、ここで、周期を特定することが、送信機会のその部分がUEのための情報を含むことの特定に基づく。いくつかの場合、送信機会は、共有無線周波数スペクトルにおけるものである。
【０２１６】
UEグループマネージャ1325は、UEに送信されることを待機中である情報の特定に基づいて、UEを含むUEのグループを特定してもよく、ここで、共通物理ダウンリンク制御チャネルが、UEのグループの指示を含む。
【０２１７】
TCIマネージャ1330は、UEに送信されることを待機中である情報の特定に基づいて、UEと関連付けられるTCIを特定してもよく、ここで、共通物理ダウンリンク制御チャネルが、TCIの指示を含む。いくつかの例では、TCIとUEのグループとの間に1対1マッピングがある。
【０２１８】
初期化マネージャ1335は、1つまたは複数の送信ビームをUEまたはUEのグループと関連付けるために、初期化手順を実行してもよく、1つまたは複数の送信ビームが、送信機会の間にUEまたはUEのグループと情報を通信するために使用するためのものであり、ここで、少なくとも1つの送信ビームを特定することが、初期化手順を実行することに基づく。
【０２１９】
キャリアアグリゲーションマネージャ1340は、1次セル上で共通物理ダウンリンク制御チャネルを送信してもよく、ここで、情報を送信することが、2次セル上で情報を送信することを含む。いくつかの例では、キャリアアグリゲーションマネージャ1340は、2次セル上で情報を送信し得る。いくつかの場合、1次セルは、sub-6ギガヘルツセルであり、2次セルは、mmWセルである。
【０２２０】
ビーム掃引マネージャ1345は、ビーム掃引パターンにおいて、共通物理ダウンリンク制御チャネルを含むビームのセットを送信してもよく、ここで、ビームのセットを送信することが、共通物理ダウンリンク制御チャネルを送信することを含む。
【０２２１】
周期マネージャ1350は、UEが探索空間を監視するための周期を特定してもよく、周期が現在の周期とは異なる。いくつかの例では、周期マネージャ1350は、現在の周期とは異なる、UEが探索空間を監視するための周期を特定してもよく、ここで、共通物理ダウンリンク制御チャネルが、周期の指示を含む。いくつかの場合、探索空間は、制御リソースセットの少なくとも一部分を含む。いくつかの場合、現在の周期は、ミニスロットごとに1回、探索空間を監視することを含む。いくつかの場合、周期は、スロットごとに1回、探索空間を監視することを含む。
【０２２２】
図14は、本開示の態様による、探索空間管理のための技法をサポートするデバイス1405を含むシステム1400の図を示す。デバイス1405は、本明細書で説明されるようなデバイス1105、デバイス1205、もしくは基地局105の構成要素の例であり、またはそれらを含み得る。デバイス1405は、通信マネージャ1410と、ネットワーク通信マネージャ1415と、トランシーバ1420と、アンテナ1425と、メモリ1430と、プロセッサ1440と、局間通信マネージャ1445とを含む、通信を送信および受信するための構成要素を含む、双方向の音声およびデータ通信のための構成要素を含み得る。これらの構成要素は、1つまたは複数のバス(たとえば、バス1450)を介して電子的に通信していることがある。
【０２２３】
通信マネージャ1410は、少なくとも1つの送信ビームと、UEへの送信のための情報とを特定し、UEに、少なくとも1つの送信ビームの指示を含む、共通物理ダウンリンク制御チャネルを送信し、共通物理ダウンリンク制御チャネルを送信することに少なくとも一部基づいて、送信機会の間に少なくとも1つの送信ビームを使用して、UEに情報を送信し得る。通信マネージャ1410はまた、UEに送信するための情報を特定し、共通物理ダウンリンク制御チャネルを送信することに少なくとも一部基づいて、送信機会の間にUEに情報を送信し、UEが探索空間を監視するための周期を特定し、周期が現在の周期とは異なり、UEに、周期の指示を含む共通物理ダウンリンク制御チャネルを送信し得る。
【０２２４】
ネットワーク通信マネージャ1415は、(たとえば、1つまたは複数の有線バックホールリンクを介して)コアネットワークとの通信を管理し得る。たとえば、ネットワーク通信マネージャ1415は、1つまたは複数のUE115などの、クライアントデバイスのためのデータ通信の転送を管理し得る。
【０２２５】
トランシーバ1420は、本明細書で説明されるように、1つまたは複数のアンテナ、有線リンク、またはワイヤレスリンクを介して、双方向に通信し得る。たとえば、トランシーバ1420は、ワイヤレストランシーバを表すことがあり、別のワイヤレストランシーバと双方向に通信し得る。トランシーバ1420はまた、パケットを変調し、変調されたパケットを送信のためにアンテナに与えるための、およびアンテナから受信されたパケットを復調するためのモデムを含み得る。
【０２２６】
いくつかの場合、ワイヤレスデバイスは単一のアンテナ1425を含み得る。しかしながら、いくつかの場合、デバイスは2つ以上のアンテナ1425を有することがあり、これらのアンテナは、複数のワイヤレス送信を同時に送信または受信することが可能であり得る。
【０２２７】
メモリ1430は、RAM、ROM、またはこれらの組合せを含み得る。メモリ1430は、プロセッサ(たとえば、プロセッサ1440)によって実行されると、デバイスに本明細書で説明される様々な機能を実行させる命令を含む、コンピュータ可読コード1435を記憶し得る。いくつかの場合、メモリ1430は、特に、周辺構成要素またはデバイスとの相互作用などの、基本ハードウェアまたはソフトウェア動作を制御し得るBIOSを含み得る。
【０２２８】
プロセッサ1440は、インテリジェントハードウェアデバイス(たとえば、汎用プロセッサ、DSP、CPU、マイクロコントローラ、ASIC、FPGA、プログラム可能論理デバイス、個別ゲートもしくはトランジスタ論理構成要素、個別ハードウェア構成要素、またはそれらの任意の組合せ)を含み得る。いくつかの場合、プロセッサ1440は、メモリコントローラを使用してメモリアレイを動作させるように構成され得る。他の場合には、メモリコントローラは、プロセッサ1440の中に統合されてもよい。プロセッサ1440は、デバイス1405に様々な機能(たとえば、探索空間管理のための技法をサポートする機能またはタスク)を実行させるために、メモリ(たとえば、メモリ1430)に記憶されているコンピュータ可読命令を実行するように構成され得る。
【０２２９】
局間通信マネージャ1445は、他の基地局105との通信を管理することができ、他の基地局105と協働してUE115との通信を制御するためのコントローラまたはスケジューラを含み得る。たとえば、局間通信マネージャ1445は、ビームフォーミングまたはジョイント送信などの様々な干渉緩和技法のために、UE115への送信のスケジューリングを協調させ得る。いくつかの例では、局間通信マネージャ1445は、基地局105間で通信を行うために、LTE/LTE-Aワイヤレス通信ネットワーク技術内のX2インターフェースを提供し得る。
【０２３０】
コード1435は、基地局においてワイヤレス通信をサポートするための命令を含む、本開示の態様を実施するための命令を含み得る。コード1435は、システムメモリまたは他のタイプのメモリなどの、非一時的コンピュータ可読媒体に記憶され得る。いくつかの場合、コード1435は、プロセッサ1440によって直接実行可能ではないことがあるが、(たとえば、コンパイルされ実行されると)本明細書で説明される機能をコンピュータに実行させることができる。
【０２３１】
図15は、本開示の態様による、探索空間管理のための技法をサポートする方法1500を示すフローチャートを示す。方法1500の動作は、本明細書で説明されるように、UE115またはその構成要素によって実装され得る。たとえば、方法1500の動作は、図7〜図10を参照して説明されたような通信マネージャによって実行され得る。いくつかの例では、UEは、本明細書で説明される機能を実行するためにUEの機能要素を制御するように命令のセットを実行し得る。追加または代替として、UEは、本明細書で説明される機能の態様を、専用ハードウェアを使用して実行し得る。
【０２３２】
1505において、UEは、送信機会と関連付けられる共通物理ダウンリンク制御チャネルについて、探索空間を監視し得る。1505の動作は、本明細書で説明される方法に従って実行され得る。いくつかの例では、1505の動作の態様は、図7〜図10を参照して説明されたような探索空間マネージャによって実行され得る。
【０２３３】
1510において、UEは、共通物理ダウンリンク制御チャネルに基づいて、送信機会の間の基地局による使用のための少なくとも1つの送信ビームを特定し得る。1510の動作は、本明細書で説明される方法に従って実行され得る。いくつかの例では、1510の動作の態様は、図7〜図10を参照して説明されたような送信ビームマネージャによって実行され得る。
【０２３４】
1515において、UEは、送信機会の間に少なくとも1つの送信ビームを使用して、情報を受信し得る。1515の動作は、本明細書で説明される方法に従って実行され得る。いくつかの例では、1515の動作の態様は、図7〜図10を参照して説明されたような情報マネージャによって実行され得る。
【０２３５】
図16は、本開示の態様による、探索空間管理のための技法をサポートする方法1600を示すフローチャートを示す。方法1600の動作は、本明細書で説明されるように、UE115またはその構成要素によって実装され得る。たとえば、方法1600の動作は、図7〜図10を参照して説明されたような通信マネージャによって実行され得る。いくつかの例では、UEは、本明細書で説明される機能を実行するためにUEの機能要素を制御するように命令のセットを実行し得る。追加または代替として、UEは、本明細書で説明される機能の態様を、専用ハードウェアを使用して実行し得る。
【０２３６】
1605において、UEは、送信機会と関連付けられる共通物理ダウンリンク制御チャネルについて、探索空間を監視し得る。1605の動作は、本明細書で説明される方法に従って実行され得る。いくつかの例では、1605の動作の態様は、図7〜図10を参照して説明されたような探索空間マネージャによって実行され得る。
【０２３７】
1610において、UEは、共通物理ダウンリンク制御チャネルに基づいて、送信機会の間の基地局による使用のための少なくとも1つの送信ビームを特定し得る。1610の動作は、本明細書で説明される方法に従って実行され得る。いくつかの例では、1610の動作の態様は、図7〜図10を参照して説明されたような送信ビームマネージャによって実行され得る。
【０２３８】
1615において、UEは、少なくとも1つの送信ビームを特定することに基づいて、スリープ状態からアクティブ状態に遷移し得る。1615の動作は、本明細書で説明される方法に従って実行され得る。いくつかの例では、1615の動作の態様は、図7〜図10を参照して説明されたようなスリープ状態マネージャによって実行され得る。
【０２３９】
1620において、UEは、スリープ状態からアクティブ状態に遷移することに基づいて、送信機会の間に少なくとも1つの送信ビームを使用して、情報を受信し得る。1620の動作は、本明細書で説明される方法に従って実行され得る。いくつかの例では、1620の動作の態様は、図7〜図10を参照して説明されたような情報マネージャによって実行され得る。
【０２４０】
図17は、本開示の態様による、探索空間管理のための技法をサポートする方法1700を示すフローチャートを示す。方法1700の動作は、本明細書で説明されるように、UE115またはその構成要素によって実装され得る。たとえば、方法1700の動作は、図7〜図10を参照して説明されたような通信マネージャによって実行され得る。いくつかの例では、UEは、本明細書で説明される機能を実行するためにUEの機能要素を制御するように命令のセットを実行し得る。追加または代替として、UEは、本明細書で説明される機能の態様を、専用ハードウェアを使用して実行し得る。
【０２４１】
1705において、UEは、送信機会と関連付けられる共通物理ダウンリンク制御チャネルについて、探索空間を監視し得る。1705の動作は、本明細書で説明される方法に従って実行され得る。いくつかの例では、1705の動作の態様は、図7〜図10を参照して説明されたような探索空間マネージャによって実行され得る。
【０２４２】
1710において、UEは、共通物理ダウンリンク制御チャネルに基づいて、送信機会の間の基地局による使用のための少なくとも1つの送信ビームを特定し得る。1710の動作は、本明細書で説明される方法に従って実行され得る。いくつかの例では、1710の動作の態様は、図7〜図10を参照して説明されたような送信ビームマネージャによって実行され得る。
【０２４３】
1715において、UEは、共通物理ダウンリンク制御チャネルに含まれた送信機会の間に情報を受信するようにスケジュールされたUEのグループの識別子を特定し得る。1715の動作は、本明細書で説明される方法に従って実行され得る。いくつかの例では、1715の動作の態様は、図7〜図10を参照して説明されたようなUEグループマネージャによって実行され得る。
【０２４４】
1720において、UEは、送信機会の間に情報を受信するようにスケジュールされたUEのグループを特定することに基づいて、少なくとも1つの送信ビームを特定することに基づいて、スリープ状態からアクティブ状態に遷移し得る。1720の動作は、本明細書で説明される方法に従って実行され得る。いくつかの例では、1720の動作の態様は、図7〜図10を参照して説明されたようなスリープ状態マネージャによって実行され得る。
【０２４５】
1725において、UEは、スリープ状態からアクティブ状態に遷移することに基づいて、送信機会の間に少なくとも1つの送信ビームを使用して、情報を受信し得る。1725の動作は、本明細書で説明される方法に従って実行され得る。いくつかの例では、1725の動作の態様は、図7〜図10を参照して説明されたような情報マネージャによって実行され得る。
【０２４６】
図18は、本開示の態様による、探索空間管理のための技法をサポートする方法1800を示すフローチャートを示す。方法1800の動作は、本明細書で説明されるように、UE115またはその構成要素によって実装され得る。たとえば、方法1800の動作は、図7〜図10を参照して説明されたような通信マネージャによって実行され得る。いくつかの例では、UEは、本明細書で説明される機能を実行するようにUEの機能要素を制御するための命令のセットを実行し得る。追加または代替として、UEは、本明細書で説明される機能の態様を、専用ハードウェアを使用して実行し得る。
【０２４７】
1805において、UEは、送信機会と関連付けられる共通物理ダウンリンク制御チャネルについて、探索空間を監視し得る。1805の動作は、本明細書で説明される方法に従って実行され得る。いくつかの例では、1805の動作の態様は、図7〜図10を参照して説明されたような探索空間マネージャによって実行され得る。
【０２４８】
1810において、UEは、共通物理ダウンリンク制御チャネルに基づいて、送信機会の間の基地局による使用のための少なくとも1つの送信ビームを特定し得る。1810の動作は、本明細書で説明される方法に従って実行され得る。いくつかの例では、1810の動作の態様は、図7〜図10を参照して説明されたような送信ビームマネージャによって実行され得る。
【０２４９】
1815において、UEは、共通物理ダウンリンク制御チャネルに基づいて、TCIを特定し得る。1815の動作は、本明細書で説明される方法に従って実行され得る。いくつかの例では、1815の動作の態様は、図7〜図10を参照して説明されたようなTCIマネージャによって実行され得る。
【０２５０】
1820において、UEは、TCIを特定することに基づいて、少なくとも1つの送信ビームを特定することに基づいて、スリープ状態からアクティブ状態に遷移し得る。1820の動作は、本明細書で説明される方法に従って実行され得る。いくつかの例では、1820の動作の態様は、図7〜図10を参照して説明されたようなスリープ状態マネージャによって実行され得る。
【０２５１】
1825において、UEは、スリープ状態からアクティブ状態に遷移することに基づいて、送信機会の間に少なくとも1つの送信ビームを使用して、情報を受信し得る。1825の動作は、本明細書で説明される方法に従って実行され得る。いくつかの例では、1825の動作の態様は、図7〜図10を参照して説明されたような情報マネージャによって実行され得る。
【０２５２】
図19は、本開示の態様による、探索空間管理のための技法をサポートする方法1900を示すフローチャートを示す。方法1900の動作は、本明細書で説明されるような基地局105またはその構成要素によって実施され得る。たとえば、方法1900の動作は、図11〜図14を参照して説明されたような通信マネージャによって実行され得る。いくつかの例では、基地局は、本明細書で説明される機能を実行するために基地局の機能要素を制御するための命令のセットを実行し得る。追加または代替として、基地局は、専用ハードウェアを使用して、本明細書で説明される機能の態様を実行し得る。
【０２５３】
1905において、基地局は、少なくとも1つの送信ビームと、UEへの送信のための情報とを特定し得る。いくつかの場合、基地局は、少なくとも1つが、基地局が送信機会の間にスケジュールすることを意図するUEの各々のためのものである、複数の送信ビームを特定し得る。1905の動作は、本明細書で説明される方法に従って実行され得る。いくつかの例では、1905の動作の態様は、図11〜図14を参照して説明されたような送信ビームマネージャによって実行され得る。
【０２５４】
1910において、基地局は、UEに、少なくとも1つの送信ビームの指示を含む、共通物理ダウンリンク制御チャネルを送信し得る。いくつかの場合、共通物理ダウンリンク制御チャネルは、基地局が送信機会の間に使用することを意図する、複数の送信ビームのリストを含み得る。1910の動作は、本明細書で説明される方法に従って実行され得る。いくつかの例では、1910の動作の態様は、図11〜図14を参照して説明されたようなPDCCHマネージャによって実行され得る。
【０２５５】
1915において、基地局は、共通物理ダウンリンク制御チャネルを送信することに少なくとも一部基づいて、送信機会の間に少なくとも1つの送信ビームを使用して、UEに情報を送信し得る。1915の動作は、本明細書で説明される方法に従って実行され得る。いくつかの例では、1915の動作の態様は、図11〜図14を参照して説明されたような情報マネージャによって実行され得る。
【０２５６】
図20は、本開示の態様による、探索空間管理のための技法をサポートする方法2000を示すフローチャートを示す。方法2000の動作は、本明細書で説明されるような基地局105またはその構成要素によって実施され得る。たとえば、方法2000の動作は、図11〜図14を参照して説明されたような通信マネージャによって実行され得る。いくつかの例では、基地局は、本明細書で説明される機能を実行するために基地局の機能要素を制御するための命令のセットを実行し得る。追加または代替として、基地局は、専用ハードウェアを使用して、本明細書で説明される機能の態様を実行し得る。
【０２５７】
2005において、基地局は、少なくとも1つの送信ビームと、UEへの送信のための情報とを特定し得る。2005の動作は、本明細書で説明される方法に従って実行され得る。いくつかの例では、2005の動作の態様は、図11〜図14を参照して説明されたような送信ビームマネージャによって実行され得る。
【０２５８】
2010において、基地局は、UEに送信されることを待機中である情報の特定に基づいて、UEを含むUEのグループを特定してもよく、ここで、共通物理ダウンリンク制御チャネルが、UEのグループの指示を含む。2010の動作は、本明細書で説明される方法に従って実行され得る。いくつかの例では、2010の動作の態様は、図11〜図14を参照して説明されたようなUEグループマネージャによって実行され得る。
【０２５９】
2015において、基地局は、UEに、少なくとも1つの送信ビームの指示を含む、共通物理ダウンリンク制御チャネルを送信し得る。2015の動作は、本明細書で説明される方法に従って実行され得る。いくつかの例では、2015の動作の態様は、図11〜図14を参照して説明されたようなPDCCHマネージャによって実行され得る。
【０２６０】
2020において、基地局は、共通物理ダウンリンク制御チャネルを送信することに少なくとも一部基づいて、送信機会の間に少なくとも1つの送信ビームを使用して、UEに情報を送信し得る。2020の動作は、本明細書で説明される方法に従って実行され得る。いくつかの例では、2020の動作の態様は、図11〜図14を参照して説明されたような情報マネージャによって実行され得る。
【０２６１】
図21は、本開示の態様による、探索空間管理のための技法をサポートする方法2100を示すフローチャートを示す。方法2100の動作は、本明細書で説明されるような基地局105またはその構成要素によって実施され得る。たとえば、方法2100の動作は、図11〜図14を参照して説明されたような通信マネージャによって実行され得る。いくつかの例では、基地局は、本明細書で説明される機能を実行するために基地局の機能要素を制御するための命令のセットを実行し得る。追加または代替として、基地局は、専用ハードウェアを使用して、本明細書で説明される機能の態様を実行し得る。
【０２６２】
2105において、基地局は、少なくとも1つの送信ビームと、UEへの送信のための情報とを特定し得る。いくつかの場合、基地局は、少なくとも1つが、基地局が送信機会の間にスケジュールすることを意図するUEの各々のためのものである、複数の送信ビームを特定し得る。2105の動作は、本明細書で説明される方法に従って実行され得る。いくつかの例では、2105の動作の態様は、図11〜図14を参照して説明されたような送信ビームマネージャによって実行され得る。
【０２６３】
2110において、基地局は、UEに送信されることを待機中である情報の特定に基づいて、UEと関連付けられるTCIを特定してもよく、ここで、共通物理ダウンリンク制御チャネルが、TCIの指示を含む。いくつかの場合、共通物理ダウンリンク制御チャネルは、基地局が送信機会の間に使用することを意図する、複数の送信ビームのリストを含み得る。2110の動作は、本明細書で説明される方法に従って実行され得る。いくつかの例では、2110の動作の態様は、図11〜図14を参照して説明されたようなTCIマネージャによって実行され得る。
【０２６４】
2115において、基地局は、UEに、少なくとも1つの送信ビームの指示を含む、共通物理ダウンリンク制御チャネルを送信し得る。2115の動作は、本明細書で説明される方法に従って実行され得る。いくつかの例では、2115の動作の態様は、図11〜図14を参照して説明されたようなPDCCHマネージャによって実行され得る。
【０２６５】
2120において、基地局は、共通物理ダウンリンク制御チャネルを送信することに少なくとも一部基づいて、送信機会の間に少なくとも1つの送信ビームを使用して、UEに情報を送信し得る。2120の動作は、本明細書で説明される方法に従って実行され得る。いくつかの例では、2120の動作の態様は、図11〜図14を参照して説明されたような情報マネージャによって実行され得る。
【０２６６】
図22は、本開示の態様による、探索空間管理のための技法をサポートする方法2200を示すフローチャートを示す。方法2200の動作は、本明細書で説明されるようなUE115またはその構成要素によって実施され得る。たとえば、方法2200の動作は、図7〜図10を参照して説明されたような通信マネージャによって実行され得る。いくつかの例では、UEは、本明細書で説明される機能を実行するためにUEの機能要素を制御するための命令のセットを実行し得る。追加または代替として、UEは、専用ハードウェアを使用して、本明細書で説明される機能の態様を実行し得る。
【０２６７】
2205において、UEは、第1の周期を使用して、送信機会と関連付けられる共通物理ダウンリンク制御チャネルについて、探索空間を監視し得る。2205の動作は、本明細書で説明される方法に従って実行され得る。いくつかの例では、2205の動作の態様は、図7〜図10を参照して説明されたような探索空間マネージャによって実行され得る。
【０２６８】
2210において、UEは、第1の周期を使用して、探索空間を監視することに基づいて、共通物理ダウンリンク制御チャネルを検出し得る。2210の動作は、本明細書で説明される方法に従って実行され得る。いくつかの例では、2210の動作の態様は、図7〜図10を参照して説明されたようなPDCCHマネージャによって実行され得る。
【０２６９】
2215において、UEは、共通物理ダウンリンク制御チャネルに含まれた情報に基づいて、探索空間を監視するための第2の周期を特定し得る。2215の動作は、本明細書で説明される方法に従って実行され得る。いくつかの例では、2215の動作の態様は、図7〜図10を参照して説明されたような周期マネージャによって実行され得る。
【０２７０】
2220において、UEは、第2の周期を特定することに基づいて、第2の周期を使用して、第2の共通物理ダウンリンク制御チャネルについて、探索空間を監視し得る。2220の動作は、本明細書で説明される方法に従って実行され得る。いくつかの例では、2220の動作の態様は、図7〜図10を参照して説明されたような探索空間マネージャによって実行され得る。
【０２７１】
図23は、本開示の態様による、探索空間管理のための技法をサポートする方法2300を示すフローチャートを示す。方法2300の動作は、本明細書で説明されるような基地局105またはその構成要素によって実施され得る。たとえば、方法2300の動作は、図11〜図14を参照して説明されたような通信マネージャによって実行され得る。いくつかの例では、基地局は、本明細書で説明される機能を実行するために基地局の機能要素を制御するための命令のセットを実行し得る。追加または代替として、基地局は、専用ハードウェアを使用して、本明細書で説明される機能の態様を実行し得る。
【０２７２】
2305において、基地局は、UEに送信するための情報を特定し得る。いくつかの場合、基地局は、複数のUEに送信するための情報を特定し得る。2305の動作は、本明細書で説明される方法に従って実行され得る。いくつかの例では、2305の動作の態様は、図11〜図14を参照して説明されたような情報マネージャによって実行され得る。
【０２７３】
2310において、基地局は、UEが探索空間を監視するための周期を特定してもよく、周期が現在の周期とは異なる。いくつかの場合、基地局は、複数のUEが探索空間を監視するための周期を特定してもよく、周期が現在の周期とは異なる。2310の動作は、本明細書で説明される方法に従って実行され得る。いくつかの例では、2310の動作の態様は、図11〜図14を参照して説明されたような周期マネージャによって実行され得る。
【０２７４】
2315において、基地局は、UEに、周期の指示を含む共通物理ダウンリンク制御チャネルを送信し得る。いくつかの場合、基地局は、複数のUEに、周期の指示を含む共通物理ダウンリンク制御チャネルを送信し得る。2315の動作は、本明細書で説明される方法に従って実行され得る。いくつかの例では、2315の動作の態様は、図11〜図14を参照して説明されたようなPDCCHマネージャによって実行され得る。
【０２７５】
2320において、基地局は、共通物理ダウンリンク制御チャネルを送信することに少なくとも一部基づいて、送信機会の間にUEに情報を送信し得る。2320の動作は、本明細書で説明される方法に従って実行され得る。いくつかの例では、2320の動作の態様は、図11〜図14を参照して説明されたような情報マネージャによって実行され得る。
【０２７６】
本明細書で説明される方法は、可能な実装形態を説明すること、動作およびステップは再構成されるかまたは他の方法で修正されてもよいこと、ならびに他の実装形態が可能であることに留意されたい。さらに、方法のうちの2つ以上からの態様が組み合わされ得る。
【０２７７】
本明細書で説明される技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなどの、様々なワイヤレス通信システムのために使用され得る。CDMAシステムは、CDMA2000、Universal Terrestrial Radio Access(UTRA)などの無線技術を実装し得る。CDMA2000は、IS-2000、IS-95、およびIS-856規格をカバーする。IS-2000 Releaseは、一般に、CDMA2000 1X、1Xなどと呼ばれ得る。IS-856(TIA-856)は、一般に、CDMA2000 1xEV-DO、High Rate Packet Data(HRPD)などと呼ばれる。UTRAは、Wideband CDMA(WCDMA(登録商標))およびCDMAの他の変形を含む。TDMAシステムは、Global System for Mobile Communications(GSM)などの無線技術を実装し得る。
【０２７８】
OFDMAシステムは、Ultra Mobile Broadband(UMB)、Evolved UTRA(E-UTRA)、米国電気電子技術者協会(IEEE)802.11(Wi-Fi)、IEEE 802.16(WiMAX)、IEEE 802.20、Flash-OFDMなどの無線技術を実装し得る。UTRAおよびE-UTRAは、Universal Mobile Telecommunications System(UMTS)の一部である。LTE、LTE-A、およびLTE-A Proは、E-UTRAを使用するUMTSのリリースである。UTRA、E-UTRA、UMTS、LTE、LTE-A、LTE-A Pro、NR、およびGSMは、「第3世代パートナーシッププロジェクト」(3GPP)という名称の団体からの文書に記載されている。CDMA2000およびUMBは、「第3世代パートナーシッププロジェクト2」(3GPP2)という名称の団体からの文書に記載されている。本明細書で説明される技法は、本明細書で言及されるシステムおよび無線技術、ならびに他のシステムおよび無線技術に使用され得る。LTE、LTE-A、LTE-A Pro、またはNRシステムの態様が、例として説明されることがあり、LTE、LTE-A、LTE-A Pro、またはNR用語が、説明の大部分において使用されることがあるが、本明細書で説明される技法は、LTE、LTE-A、LTE-A Pro、またはNRの適用例以外に適用可能である。
【０２７９】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にすることができる。フェムトセルも、小さい地理的エリア(たとえば、自宅)をカバーすることができ、フェムトセルとの関連付けを有するUE115(たとえば、限定加入者グループ(CSG)中のUE115、自宅内のユーザのためのUE115など)による制限付きアクセスを提供することができる。マクロセルのためのeNBは、マクロeNBと呼ばれ得る。スモールセルのためのeNBは、スモールセルeNB、ピコeNB、フェムトeNB、またはホームeNBと呼ばれ得る。eNBは、1つまたは複数(たとえば、2つ、3つ、4つなど)のセルをサポートすることができ、1つまたは複数のコンポーネントキャリアを使用する通信もサポートすることができる。
【０２８０】
本明細書で説明される1つまたは複数のワイヤレス通信システム100は、同期動作または非同期動作をサポートすることができる。同期動作の場合、基地局105は、同様のフレームタイミングを有することがあり、異なる基地局105からの送信は時間的に概ね揃えられ得る。非同期動作の場合、基地局105は、異なるフレームタイミングを有することがあり、異なる基地局105からの送信は、時間的に揃えられないことがある。本明細書で説明される技法は、同期動作または非同期動作のいずれかのために使用され得る。
【０２８１】
本明細書で説明される情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２８２】
本開示に関して説明される様々な例示的なブロックおよびモジュールは、汎用プロセッサ、DSP、ASIC、FPGAもしくは他のPLD、個別ゲートもしくはトランジスタ論理、個別ハードウェア構成要素、または本明細書で説明される機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)として実装され得る。
【０２８３】
本明細書で説明される機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして、コンピュータ可読媒体上に記憶され、またはコンピュータ可読媒体を介して送信され得る。他の例および実装形態が、本開示および添付の特許請求の範囲の範囲内に入る。たとえば、ソフトウェアの性質により、本明細書で説明される機能は、プロセッサによって実行されるソフトウェア、ハードウェア、ファームウェア、ハードワイヤリング、またはこれらのうちのいずれかの組合せを使用して実装され得る。機能を実施する特徴はまた、異なる物理的位置において機能の部分が実装されるように分散されることを含めて、様々な位置に物理的に配置され得る。
【０２８４】
コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態で所望のプログラムコード手段を搬送または記憶するために使用され、汎用コンピュータもしくは専用コンピュータまたは汎用プロセッサもしくは専用プロセッサによってアクセスされ得る、任意の他の非一時的媒体を含み得る。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ディスク(disk)は、通常、データを磁気的に再生し、ディスク(disc)は、データをレーザーで光学的に再生する。上記の組合せも、コンピュータ可読媒体の範囲内に含まれる。
【０２８５】
特許請求の範囲内を含めて本明細書で使用される項目のリスト(たとえば、「のうちの少なくとも1つ」または「のうちの1つまたは複数」などの句で終わる項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような、包括的リストを示す。また、本明細書で使用される「に基づいて」という句は、条件の閉集合への参照と解釈されないものとする。たとえば、「条件Aに基づいて」として説明される例示的なステップは、本開示の範囲から逸脱することなく、条件Aと条件Bの両方に基づいてよい。言い換えれば、本明細書で使用される「に基づいて」という句は、「に少なくとも一部基づいて」という句と同様に解釈されるべきである。
【０２８６】
添付の図では、同様の構成要素または特徴は、同じ参照ラベルを有し得る。さらに、同じタイプの様々な構成要素は、参照ラベルの後に、ダッシュと、同様の構成要素を区別する第2のラベルとを続けることによって区別されることがある。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０２８７】
添付の図面に関して本明細書に記載された説明は、例示的な構成を説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明する技法の理解をもたらすための具体的な詳細を含む。しかしながら、これらの技法は、これらの具体的な詳細なしで実践されてもよい。いくつかの事例では、説明される例の概念を不明瞭にすることを回避するために、よく知られている構造およびデバイスがブロック図の形式で示される。
【０２８８】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０２８９】
100  ワイヤレス通信システム
105  基地局
110  地理的カバレッジエリア
115  UE
125  通信リンク
130  コアネットワーク
132  バックホールリンク
134  バックホールリンク
200  ワイヤレス通信システム
205  基地局
210  UE
215  ビームペアリンク
220  指向性送信ビーム、送信ビーム
225  指向性聴取、方向聴取ビーム
305  基地局
310  第1のUE、UE
315  第2のUE、UE
320  送信機会
325  共通PDCCH
330  UE固有のPDCCH
335  UE固有のPDCCH
340  UE固有のPDCCH
345  送信ビーム
350  送信ビーム
355  送信ビーム
360  送信ビーム
365  指向性聴取
370  指向性聴取
375  指向性聴取
375  指向性聴取
380  指向性聴取
385  指向性聴取
405  基地局
410  UE
420  メッセージ
450  共通PDCCH
485  UE固有のPDCCH、他のPDCCH
490  情報
505  PDCCH、共通PDCCH
510  ミニスロット
515  スロット
605  基地局
610  UE
620  メッセージ
640  共通PDCCH
660  PDCCH、他のPDCCH、UE固有のPDCCH
665  情報
705  デバイス
710  受信機
715  通信マネージャ
720  送信機
805  デバイス
810  受信機
815  通信マネージャ
820  探索空間マネージャ
825  送信ビームマネージャ
830  情報マネージャ
835  PDCCHマネージャ
840  周期マネージャ
845  送信機
905  通信マネージャ
910  探索空間マネージャ
915  送信ビームマネージャ
920  情報マネージャ
925  スリープ状態マネージャ
930  UEグループマネージャ
935  TCIマネージャ
940  キャリアアグリゲーションマネージャ
945  ビーム掃引マネージャ
950  周期マネージャ
955  PDCCHマネージャ
960  持続時間マネージャ
1000  システム
1005  デバイス
1010  通信マネージャ
1015  I/Oコントローラ
1020  トランシーバ
1025  アンテナ
1030  メモリ
1035  コード
1040  プロセッサ
1045  バス
1105  デバイス
1110  受信機
1115  通信マネージャ
1120  送信機
1205  デバイス
1210  受信機
1215  通信マネージャ
1220  送信ビームマネージャ
1225  PDCCHマネージャ
1230  情報マネージャ
1235  周期マネージャ
1240  送信機
1305  通信マネージャ
1310  送信ビームマネージャ
1315  PDCCHマネージャ
1320  情報マネージャ
1325  UEグループマネージャ
1330  TCIマネージャ
1335  初期化マネージャ
1340  キャリアアグリゲーションマネージャ
1345  ビーム掃引マネージャ
1350  周期マネージャ
1400  システム
1405  デバイス
1410  通信マネージャ
1415  ネットワーク通信マネージャ
1420  トランシーバ
1425  アンテナ
1430  メモリ
1435  コード
1440  プロセッサ
1445  局間通信マネージャ
1450  バス
【図１】
2022500932.tif 000003
【図２】
2022500932.tif 000004
【図３】
2022500932.tif 000005
【図４】
2022500932.tif 000006
【図５】
2022500932.tif 000007
【図６】
2022500932.tif 000008
【図７】
2022500932.tif 000009
【図８】
2022500932.tif 000010
【図９】
2022500932.tif 000011
【図１０】
2022500932.tif 000012
【図１１】
2022500932.tif 000013
【図１２】
2022500932.tif 000014
【図１３】
2022500932.tif 000015
【図１４】
2022500932.tif 000016
【図１５】
2022500932.tif 000017
【図１６】
2022500932.tif 000018
【図１７】
2022500932.tif 000019
【図１８】
2022500932.tif 000020
【図１９】
2022500932.tif 000021
【図２０】
2022500932.tif 000022
【図２１】
2022500932.tif 000023
【図２２】
2022500932.tif 000024
【図２３】
2022500932.tif 000025
【国際調査報告】
2022500932.tif 000026
2022500932.tif 000027
2022500932.tif 000028
2022500932.tif 000029
2022500932.tif 000030
2022500932.tif 000031